(57)【要約】  ＣＣＦＩエラーが生じた場合であっても、バッファへのデータ格納ミスによる初回受信時のパケット誤りを防ぎ、再送時にずれた状態で合成することを回避する。  送信Circular Bufferでは、送信する符号語データを末尾から先頭まで逆方向に順にＤ＿１２、Ｄ＿１１、…、Ｄ＿１と読み出し、変調部にて変調した後、多重部では、ＣＣＦＩ値（＝２）に基づき、制御チャネルＣＣＨの後に３番目のＯＦＤＭシンボル＃３から順に、変調されたデータシンボルＤ＿１２〜Ｄ＿１を配置する。受信側では、受信したデータシンボルを復調した後、受信Circular Bufferにおいて、所定のデータ開始地点から、復調情報の末尾から先頭までを逆方向に並び替えて格納する。これにより、受信Circular Bufferでのデータ格納ずれや先頭のデータ欠落による受信誤りが回避される。
2009019817.tif 000002
【特許請求の範囲】
【請求項１】
Persistent-schedulingが適用される受信局に対して、ＯＦＤＭ（Orthogonal Frequency Division Multiplexing）を用いたデータ伝送を行う送信局となる無線通信装置であって、
受信局へ送信するためのデータを格納するCircular Bufferを備え、
前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える無線通信装置。
【請求項２】
請求項１に記載の無線通信装置であって、
前記送信データ処理部は、前記Circular Bufferからのデータの読出処理において、送信するデータの末尾から逆方向にデータを読み出す無線通信装置。
【請求項３】
請求項１に記載の無線通信装置であって、
前記送信データ処理部は、前記変調後のデータシンボルのＯＦＤＭシンボルへの配置処理において、末尾のＯＦＤＭシンボルから逆方向にデータを配置する無線通信装置。
【請求項４】
請求項１に記載の無線通信装置であって、
前記送信データ処理部は、前記受信局へ伝送するデータにおいて、１つの送信するための単位（Transport-block）が複数の符号化の単位（Code-block）で構成される場合、すべてのCode-blockデータが各ＯＦＤＭシンボルに対して均等となるように配置する無線通信装置。
【請求項５】
請求項４に記載の無線通信装置であって、
前記送信データ処理部は、すべてのCode-blockデータが各ＯＦＤＭシンボルへ時間方向に均等となるように配置する無線通信装置。
【請求項６】
請求項４に記載の無線通信装置であって、
前記送信データ処理部は、すべてのCode-blockデータが各ＯＦＤＭシンボルへ周波数方向に均等となるように配置する無線通信装置。
【請求項７】
請求項４に記載の無線通信装置であって、
前記送信データ処理部は、すべてのCode-blockデータが、制御チャネルが配置される可能性のあるＯＦＤＭシンボルに対してのみ均等となるように配置する無線通信装置。
【請求項８】
請求項１に記載の無線通信装置であって、
自己の送信局から送信対象とする受信局として、Dynamic-schedulingが適用される第１の受信局とPersistent-schedulingが適用される第２の受信局とを離散的(Distributed)に多重する場合、前記送信データ処理部は、前記Persistent-schedulingが適用される第２の受信局へ送信するデータを伝送区間の末尾のＯＦＤＭシンボルから逆方向に配置する無線通信装置。
【請求項９】
請求項１に記載の無線通信装置であって、
前記Persistent-schedulingが適用される受信局への再送時に通知される制御情報に、前回の受信時のＣＣＦＩ（Control Channel Format Indicator）情報を組み込む制御情報処理部を備える無線通信装置。
【請求項１０】
Persistent-schedulingが適用される受信局となり、送信局との間でＯＦＤＭ（Orthogonal Frequency Division Multiplexing）を用いたデータ伝送を行う無線通信装置であって、
送信局から受信したデータを格納するCircular Bufferを備え、
前記送信局よりＯＦＤＭシンボルにおいて逆方向に配置されたデータを受信した場合に、前記Circular Bufferへのデータの格納処理において、所定のデータ格納位置に逆方向に並び替えてデータを格納する受信データ処理部を備える無線通信装置。
【請求項１１】
請求項１０に記載の無線通信装置であって、
前記受信データ処理部は、前記送信局から伝送されるデータにおいて、１つの送信するための単位（Transport-block）が複数の符号化の単位（Code-block）で構成される場合、すべてのCode-blockデータが各ＯＦＤＭシンボルに対して均等となるように逆方向に配置されたデータを、それぞれのCode-blockごとに逆方向に並び替えて格納する無線通信装置。
【請求項１２】
請求項１０に記載の無線通信装置であって、
送信局が送信対象とする受信局として、Dynamic-schedulingが適用される他の受信局とPersistent-schedulingが適用される自己の受信局とが離散的(Distributed)に多重された場合、前記受信データ処理部は、自己の受信局用の末尾のＯＦＤＭシンボルから逆方向に配置されたデータを、逆順に元に並び替えて格納する無線通信装置。
【請求項１３】
送信局と、Persistent-schedulingが適用される受信局との間でＯＦＤＭ（Orthogonal Frequency Division Multiplexing）を用いたデータ伝送を行う無線通信システムであって、
受信局へ送信するためのデータを格納するCircular Bufferを備え、
前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える送信局である第１の無線通信装置と、
送信局から受信したデータを格納するCircular Bufferを備え、
前記Persistent-schedulingが適用される受信局となり、前記送信局から逆方向に配置されたデータを受信した場合に、前記Circular Bufferへのデータの格納処理において、所定のデータ格納位置に逆方向にデータを格納する受信データ処理部を備える受信局である第２の無線通信装置と、を有する無線通信システム。
【請求項１４】
Persistent-schedulingが適用される受信局に対して、ＯＦＤＭ（Orthogonal Frequency Division Multiplexing）を用いたデータ伝送を行う送信局となる無線通信装置における無線通信方法であって、
前記Persistent-schedulingが適用される受信局へ送信するデータに関して、前記受信局へ送信するためのデータを格納するCircular Bufferからのデータの読出処理、または、変調後のデータシンボルのＯＦＤＭシンボルへの配置処理のいずれかの処理において、逆順にデータ処理を行う送信データ処理ステップを有する無線通信方法。
【請求項１５】
Persistent-schedulingが適用される受信局となり、送信局との間でＯＦＤＭ（Orthogonal Frequency Division Multiplexing）を用いたデータ伝送を行う無線通信装置における無線通信方法であって、
前記送信局から逆方向に配置されたデータを受信した場合に、前記送信局から受信したデータを格納するCircular Bufferへのデータの格納処理において、所定のデータ格納位置に逆方向にデータを格納する受信データ処理ステップを有する無線通信方法。
【発明の詳細な説明】
【技術分野】
【０００１】
本発明は、ＯＦＤＭ（Orthogonal Frequency Division Multiplexing）を用いたデータ伝送を行う無線通信装置、無線通信システム及び無線通信方法に関する。
【背景技術】
【０００２】
第３世代移動通信サービスが開始され、データ通信や映像通信などのマルチメディア通信が非常に盛んになってきている．こうしたなかで、今後さらに通信されるデータサイズはますます大きくなり、データレート高速化への要求は高まってくるであろう。【０００３】
そこで、３ＧＰＰ−ＬＴＥ（3rd Generation Partnership Project Long Term Evolution）では、１００Ｍｂｐｓという高速伝送を実現すべく標準化活動が盛んに行われている。この目標達成のために最も有力な通信方式として、ＯＦＤＭをベースとした方式が考えられている。【０００４】
また、周波数利用効率の向上のために、誤り訂正符号と再送制御を組み合わせたＨＡＲＱ（Hybrid Automatic Repeat reQuest）が検討されている。３ＧＰＰ−ＬＴＥのＨＡＲＱシステムでは、リダンダンシーバージョン（Redundancy Version、以後、ＲＶと記載）などの再送データの定義を簡単化するために、ＣＢＲＭ（Circular Buffer based Rate-Matching）が検討されている（非特許文献１参照）。ＣＢＲＭとは、巡回読出型バッファであるCircular Bufferに蓄積されたターボ符号語を、ある任意の開始地点からバッファのアドレス順に巡回読出することにより、ＲＶを定義するというレートマッチング方法のことである。
【非特許文献１】R1-072604, "Way forward on HARQ rate matching for LTE", Ericsson, et al., 3GPP TSG-RAN WG1 RAN1#49 寄書, 2007/05
【発明の開示】
【発明が解決しようとする課題】
【０００５】
図１１はCircular Bufferを用いた場合の送信局と受信局におけるデータの配置構成の一例を示す図である。図１１において、送信局ＮＢ（Node-B）は送信側の３ＧＰＰ−ＬＴＥにおける無線通信基地局装置を、受信局Ｐ−ＵＥ（Persistent-User Equipment）は受信側の３ＧＰＰ−ＬＴＥにおける無線通信移動局装置をそれぞれ示している。Persistent-User Equipmentは、Persistent-schedulingが適用されるユーザ端末であり、Persistent-schedulingとは、あらかじめ送受信局間でスケジューリングパターンを決めておくことにより、スケジューリングにかかる制御情報の削減を目的としたスケジューリングのことである。ここでは、受信局Ｐ−ＵＥに対する送信局ＮＢにおける送信Circular Bufferの構成、および、受信局Ｐ−ＵＥにおける受信Circular Bufferの構成を示す。【０００６】
受信局Ｐ−ＵＥは、データ割当があるＴＴＩ（Transmission Time Interval）においてＣＣＦＩ（Control Channel Format Indicator）を参照した後に、データを受信する。ここで、ＴＴＩとは、スケジューリングを行う時間単位（例えば１ｍｓ）である。ＣＣＦＩとは、ＴＴＩ内で制御情報が配置されるＯＦＤＭシンボル数を通知する情報である。図１１の例では、送信局ＮＢがＣＣＦＩ＝２で送信したデータを、受信局Ｐ−ＵＥがＣＣＦＩ＝３と誤って受信した状況を示す。制御情報は、スケジューリングされた受信局Ｐ−ＵＥの制御情報であるＣＣＨ（Control Channel）で示してある。ＣＣＦＩは、伝送周波数帯域上のＯＦＤＭシンボル＃１のいずれかのサブキャリアに割り当てられ、誤り検出符号化がなされていないため、ＣＣＦＩエラーとなり誤って解釈する可能性が高い。【０００７】
この場合、受信局Ｐ−ＵＥはＣＣＦＩ＝３で受信を行うため、ＴＴＩ内で３番目のＯＦＤＭシンボル＃３に配置されたデータＤ＿１を受信欠落してしまう。さらに、受信局Ｐ−ＵＥは受信開始地点を４番目のＯＦＤＭシンボル＃４のデータＤ＿２と判断して受信Circular Bufferへ格納するため、本来はデータＤ＿１から配置されるべき受信Circular BufferにデータＤ＿２から配置されることにより、全体的にずれた状態で受信Circular Bufferへ格納されてしまう。これらの先頭データの欠落とバッファ格納位置のずれにより、初回受信時のパケット誤りが発生する上に、再送時にもずれた状態で合成されるため、パケット誤りを改善できないという課題がある。【０００８】
本発明は、上記事情に鑑みてなされたもので、その目的は、ＣＣＦＩエラーが生じた場合であっても、バッファへのデータ格納ミスによる初回受信時のパケット誤りを防ぐことができ、再送時にずれた状態で合成することを回避することが可能な無線通信装置、無線通信システム及び無線通信方法を提供することにある。
【課題を解決するための手段】
【０００９】
本発明は、第１に、Persistent-schedulingが適用される受信局に対して、ＯＦＤＭを用いたデータ伝送を行う送信局となる無線通信装置であって、受信局へ送信するためのデータを格納するCircular Bufferを備え、前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える無線通信装置を提供する。
これにより、Persistent-schedulingが適用される受信局がＣＣＦＩエラーを引き起こしたとしても、バッファへのデータ格納ミスによる初回受信時のパケット誤りを防ぐことができ、再送時にずれた状態で合成することを回避することが可能となる。【００１０】
また、本発明は、第２に、上記第１の無線通信装置であって、前記送信データ処理部は、前記Circular Bufferからのデータの読出処理において、送信するデータの末尾から逆方向にデータを読み出すものを含む。【００１１】
また、本発明は、第３に、上記第１の無線通信装置であって、前記送信データ処理部は、前記変調後のデータシンボルのＯＦＤＭシンボルへの配置処理において、末尾のＯＦＤＭシンボルから逆方向にデータを配置するものを含む。【００１２】
また、本発明は、第４に、上記第１の無線通信装置であって、前記送信データ処理部は、前記受信局へ伝送するデータにおいて、１つの送信するための単位（Transport-block）が複数の符号化の単位（Code-block）で構成される場合、すべてのCode-blockデータが各ＯＦＤＭシンボルに対して均等となるように配置するものを含む。
これにより、Persistent-schedulingが適用される受信局がＣＣＦＩエラーを引き起こしたとしても、データ格納ミスによる後続のCode-blockのパケット誤りを防ぐことができ、再送時にずれた状態で合成することを避けることが可能となる。【００１３】
また、本発明は、第５に、上記第４の無線通信装置であって、前記送信データ処理部は、すべてのCode-blockデータが各ＯＦＤＭシンボルへ時間方向に均等となるように配置するものを含む。【００１４】
また、本発明は、第６に、上記第４の無線通信装置であって、前記送信データ処理部は、すべてのCode-blockデータが各ＯＦＤＭシンボルへ周波数方向に均等となるように配置するものを含む。【００１５】
また、本発明は、第７に、上記第４の無線通信装置であって、前記送信データ処理部は、すべてのCode-blockデータが、制御チャネルが配置される可能性のあるＯＦＤＭシンボルに対してのみ均等となるように配置するものを含む。【００１６】
また、本発明は、第８に、上記第１の無線通信装置であって、自己の送信局から送信対象とする受信局として、Dynamic-schedulingが適用される第１の受信局とPersistent-schedulingが適用される第２の受信局とを離散的(Distributed)に多重する場合、前記送信データ処理部は、前記Persistent-schedulingが適用される第２の受信局へ送信するデータを伝送区間の末尾のＯＦＤＭシンボルから逆方向に配置するものを含む。
これにより、複数の受信局の割り当てを行う際に各受信局のデータ配置が断続的になることを回避できる。この場合、Dynamic-schedulingが適用される第１の受信局の割当領域を時間的に連続させることができ、ＣＣＦＩ値によらず連続受信が可能であるので、受信処理が簡単になる。【００１７】
また、本発明は、第９に、上記第１の無線通信装置であって、前記Persistent-schedulingが適用される受信局への再送時に通知される制御情報に、前回の受信時のＣＣＦＩ（Control Channel Format Indicator）情報を組み込む制御情報処理部を備えるものを含む。
これにより、Persistent-schedulingが適用される受信局がＣＣＦＩエラーを引き起こしたとしても、過剰受信することを防ぐことができ、また、再送時の制御情報より初回受信時にあいまいであったデータ情報を合成して復号できるため、符号化ゲインが得られる。【００１８】
また、本発明は、第１０に、Persistent-schedulingが適用される受信局となり、送信局との間でＯＦＤＭを用いたデータ伝送を行う無線通信装置であって、送信局から受信したデータを格納するCircular Bufferを備え、前記送信局よりＯＦＤＭシンボルにおいて逆方向に配置されたデータを受信した場合に、前記Circular Bufferへのデータの格納処理において、所定のデータ格納位置に逆方向に並び替えてデータを格納する受信データ処理部を備える無線通信装置を提供する。【００１９】
また、本発明は、第１１に、上記第１０の無線通信装置であって、前記受信データ処理部は、前記送信局から伝送されるデータにおいて、１つの送信するための単位（Transport-block）が複数の符号化の単位（Code-block）で構成される場合、すべてのCode-blockデータが各ＯＦＤＭシンボルに対して均等となるように逆方向に配置されたデータを、それぞれのCode-blockごとに逆方向に並び替えて格納するものを含む。【００２０】
また、本発明は、第１２に、上記第１０の無線通信装置であって、送信局が送信対象とする受信局として、Dynamic-schedulingが適用される他の受信局とPersistent-schedulingが適用される自己の受信局とが離散的(Distributed)に多重された場合、前記受信データ処理部は、自己の受信局用の末尾のＯＦＤＭシンボルから逆方向に配置されたデータを、逆順に元に並び替えて格納するものを含む。【００２１】
また、本発明は、第１３に、送信局と、Persistent-schedulingが適用される受信局との間でＯＦＤＭを用いたデータ伝送を行う無線通信システムであって、
受信局へ送信するためのデータを格納するCircular Bufferを備え、前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える送信局である第１の無線通信装置と、
送信局から受信したデータを格納するCircular Bufferを備え、前記Persistent-schedulingが適用される受信局となり、前記送信局から逆方向に配置されたデータを受信した場合に、前記Circular Bufferへのデータの格納処理において、所定のデータ格納位置に逆方向にデータを格納する受信データ処理部を備える受信局である第２の無線通信装置と、を有する無線通信システムを提供する。【００２２】
また、本発明は、第１４に、Persistent-schedulingが適用される受信局に対して、ＯＦＤＭを用いたデータ伝送を行う送信局となる無線通信装置における無線通信方法であって、前記Persistent-schedulingが適用される受信局へ送信するデータに関して、前記受信局へ送信するためのデータを格納するCircular Bufferからのデータの読出処理、または、変調後のデータシンボルのＯＦＤＭシンボルへの配置処理のいずれかの処理において、逆順にデータ処理を行う送信データ処理ステップを有する無線通信方法を提供する。【００２３】
また、本発明は、第１５に、Persistent-schedulingが適用される受信局となり、送信局との間でＯＦＤＭを用いたデータ伝送を行う無線通信装置における無線通信方法であって、前記送信局から逆方向に配置されたデータを受信した場合に、前記送信局から受信したデータを格納するCircular Bufferへのデータの格納処理において、所定のデータ格納位置に逆方向にデータを格納する受信データ処理ステップを有する無線通信方法を提供する。
【発明の効果】
【００２４】
本発明によれば、ＣＣＦＩエラーが生じた場合であっても、バッファへのデータ格納ミスによる初回受信時のパケット誤りを防ぐことができ、再送時にずれた状態で合成することを回避することが可能な無線通信装置、無線通信システム及び無線通信方法を提供できる。
【図面の簡単な説明】
【００２５】
【図１】本発明の実施形態における送信局のブロック構成を示す図
【図２】第１の実施形態の送信局におけるデータ処理およびデータの配置構成の一例を示す図
【図３】本発明の実施形態における受信局のブロック構成を示す図
【図４】第１の実施形態の受信局におけるデータ処理およびデータの配置構成の一例を示す図
【図５】第２の実施形態におけるデータ処理およびデータの配置構成の一例を示す図
【図６】第３の実施形態におけるデータ処理およびデータの配置構成の一例を示す図
【図７】本実施形態の第１変形例におけるデータ処理およびデータの配置構成の一例を示す図
【図８】本実施形態の第２変形例におけるデータ処理およびデータの配置構成の一例を示す図
【図９】本実施形態の第３変形例におけるデータ処理およびデータの配置構成の一例を示す図
【図１０】本実施形態の第４変形例におけるデータ処理およびデータの配置構成の一例を示す図
【図１１】Circular Bufferを用いた場合の送信局と受信局におけるデータの配置構成の一例を示す図
【符号の説明】
【００２６】
１００  送信局
１０１  ＣＲＣ部
１０２  符号化部
１０３  送信Circular Buffer
１０４  変調部
１０５  多重部
１０６  ＩＦＦＴ部
１０７  送信ＲＦ部
１０８  アンテナ
１０９  受信ＲＦ部
１１０  復調部
１１１  復号部
１１２  制御部
３００  受信局
３０１  アンテナ
３０２  受信ＲＦ部
３０３  ＦＦＴ部
３０４  分離部
３０５  復調部
３０６  受信Circular Buffer
３０７  復号部
３０８  誤り検出部
３０９  回線品質推定部
３１０  制御信号生成部
３１１  符号化部
３１２  変調部
３１３  送信ＲＦ部
【発明を実施するための最良の形態】
【００２７】
本実施形態では、本発明に係る無線通信システム、無線通信装置及び再送制御方法の一例として、ＯＦＤＭを用いた無線伝送方式で通信を行う場合の構成例を示す。以下の実施形態の説明では、ＦＤＤ（Frequency Division Duplex）システムを仮定する。なお、ＴＤＤ（Time Division Duplex）システムでも実施可能である。また、データを送信する側を送信局、データを受信する側を受信局とする。なお、下記の実施形態は説明のための一例であり、本発明はこれに限定されるものではない。【００２８】
（第１の実施形態）
図１は本発明の実施形態における送信局のブロック構成を示す図である。送信局１００となる無線通信装置は、ＣＲＣ部１０１、符号化部１０２、送信Circular Buffer１０３、変調部１０４、多重部１０５、ＩＦＦＴ部１０６、送信ＲＦ部１０７、アンテナ１０８、受信ＲＦ部１０９、復調部１１０、復号部１１１、制御部１１２を備えて構成される。本実施形態では、例えば、セルラーシステムにおいて無線通信基地局装置と無線通信移動局装置との間で通信を行う場合に、無線通信基地局装置ＮＢ（Node-B）が送信側の送信局、無線通信移動局装置ＵＥ（User Equipment）が受信側の受信局となる場合を例示する。また、受信局は、Persistent-schedulingが適用されるPersistent-User Equipment（以下、Persistent-UEと記載）である場合を想定し、ＣＣＦＩを参照して伝送区間としてのＴＴＩ内における制御情報（制御チャネル）が配置されるＯＦＤＭシンボル数を認識し、データシンボルを特定する動作を行うものとする。【００２９】
ＣＲＣ部１０１は、入力される送信データを誤り検出符号化（Cyclic Redundancy Check）し、ＣＲＣがかけられたデータを符号化部１０２へ出力する。符号化部１０２は、ＣＲＣがかけられたデータをマザー符号化率（例えば、符号化率Ｒ＝１／３）でターボ符号化し、導出された符号語（符号化されたデータ）を送信Circular Buffer１０３へ出力する。【００３０】
送信Circular Buffer１０３は、送信データを格納して保持する巡回読出型バッファを構成するメモリを有しており、制御部１１２から入力される送信データサイズ、符号化率、ＲＶパラメータ、ＵＥ属性（受信側のユーザ端末属性）に従って、格納されたデータの中から送信する符号語データを読み出して変調部１０４へ出力する。ここで、ＵＥ属性として、割当ＵＥである受信局のＵＥ属性がDynamic-schedulingが適用されるDynamic-User Equipment（以下、Dynamic-UEと記載）であった場合、所定のデータ開始地点から順方向に読み出した符号語データを変調部１０４へ出力する。本実施形態では、送信データのデータ格納位置を示すデータ開始地点として、例えば事前に通知されるＲＶパラメータで指示された開始地点を用いるが、これに限るものではない。【００３１】
一方、割当ＵＥである受信局のＵＥ属性がPersistent-schedulingが適用されるPersistent-UEであった場合、ＲＶパラメータで指示された開始地点から送信データサイズに相当する領域において、すなわち開始地点から送信データサイズ分先のアドレス位置までについて、末尾から逆方向に読み出した符号語データを変調部１０４へ出力する。本実施形態では、受信局がPersistent-UEである場合を主に説明するが、この場合の送信Circular Buffer１０３の読出処理の詳細については、後述する。【００３２】
変調部１０４は、送信Circular Buffer１０３から入力された順に符号語データを、制御部１１２から入力される変調多値数で変調してデータシンボルを生成し、多重部１０５へ出力する。【００３３】
多重部１０５は、変調部１０４から入力されるデータシンボルを、制御部１１２から入力される割当ＲＢ（Resource Block）番号に対応する周波数サブキャリアへ配置する。また、多重部１０５では、制御部１１２から入力されるＣＣＦＩ値に従って、何番目のＯＦＤＭシンボルからデータシンボルを配置するのかを決定する。さらに、多重部１０５は、データシンボル、制御部１１２から入力される制御情報、パイロット信号（参照信号）を多重する。上記データシンボルをＯＦＤＭシンボルへ配置する処理の詳細については、送信Circular Bufferの読出処理とともに後述する。【００３４】
ＩＦＦＴ部１０６は、多重部１０５より入力される情報に対してＩＦＦＴを行って、マルチキャリア信号であるＯＦＤＭシンボルを生成する。送信ＲＦ部１０７は、ベースバンド信号をＲＦ信号に周波数変換し、このＲＦ信号の送信信号をアンテナ１０８より受信局へ送信する。【００３５】
受信ＲＦ部１０９は、受信局から送信された制御信号をアンテナ１０８より受信し、ＲＦ信号の受信信号をベースバンド信号に周波数変換する。受信局から制御信号としては、受信品質を示すＣＱＩ（Channel Quality Indicator）、および受信の可否を示すＡＣＫ（Acknowledgement）／ＮＡＣＫ（Negative Acknowledgement）信号などが含まれる。【００３６】
復調部１１０は、制御信号（ＣＱＩ、ＡＣＫ／ＮＡＣＫ信号）を復調して復号部１１１へ出力する。復号部１１１は、復調された制御信号（ＣＱＩ、ＡＣＫ／ＮＡＣＫ信号）を復号して制御部１１２)へ出力する。【００３７】
制御部１１２は、復号部１１１から入力された各受信局からの制御信号（ＣＱＩ、ＡＣＫ／ＮＡＣＫ信号）に基づいて、符号化率、変調多値数、割当ＲＢ番号、ＣＣＦＩ値、および再送を制御する。制御部１１２は、生成した符号化率の情報を送信Circular Buffer１０３へ出力し、変調多値数を変調部１０４へ出力し、割当ＲＢ番号、ＣＣＦＩ値および制御情報を多重部１０５へ出力する。なお、受信局が報告するＣＱＩは、平均ＳＩＮＲ（Signal-to-Interference plus Noise power Ratio）でも、平均ＳＩＲ（Signal-to-Interference Ratio）でも、ＭＣＳ（Modulation and Coding Scheme）パラメータでも構わない。上記送信局の構成において、送信Circular Buffer１０３、多重部１０５、および制御部１１２が送信データ処理部の機能を実現し、制御部１１２が制御情報処理部の機能を実現する。【００３８】
次に、第１の実施形態の送信局における主要な処理動作の詳細を説明する。ここでは、送信Circular Buffer１０３の読出処理と、多重部１０５におけるデータシンボルをＯＦＤＭシンボルへ配置する処理との２点について詳述する。【００３９】
図２は第１の実施形態の送信局におけるデータ処理およびデータの配置構成の一例を示す図である。図２では、Persistent-UEのデータチャネルの配置例として、Persistent-UEのデータチャネルを送信Circular Bufferから読み出し、変調を介し、対応するＯＦＤＭシンボルへ配置するまでの処理状況を示している。なお、ここではＣＣＦＩ＝２の場合を説明する。処理手順は以下の（Ａ１）〜（Ａ３）の３段階であり、図２中の（Ａ１）〜（Ａ３）と対応する。【００４０】
（Ａ１）送信Circular Bufferの読出処理
送信Circular Buffer１０３は、制御部１１２から指示されたＲＶパラメータと送信データサイズに基づいて、送信する符号語データを特定する。ここでは、送信する符号語データがＤ＿１〜Ｄ＿１２であるとする。なお、符号語データＤ＿１〜Ｄ＿１２のうち、Ｄ＿１〜Ｄ＿４は符号語のシステマティックビット（図２上段のInterleaved S）に対応し、Ｄ＿５〜Ｄ＿１２は符号語のパリティビット（図２上段のInterleaved and interlaced P1 and P2）に対応する。
次に、特定した符号語データを末尾から先頭まで逆方向に順にＤ＿１２、Ｄ＿１１、…、Ｄ＿１と読み出し、変調部１０４へ出力する。【００４１】
（Ａ２）変調処理
変調部１０４は、送信Circular Buffer１０３から入力された順に符号語データＤ＿１２〜Ｄ＿１を、制御部１１２から入力される変調多値数で変調してデータシンボルを生成し、多重部１０５へ出力する。【００４２】
（Ａ３）データシンボルをＯＦＤＭシンボルへ配置する処理
多重部１０５は、制御部１１２から入力されるＣＣＦＩ値（＝２）に基づき、割当ＲＢ番号のサブキャリアに対して、３番目のＯＦＤＭシンボル＃３から順に、変調部１０４から入力されるデータシンボルＤ＿１２〜Ｄ＿１を配置する。図２の例では、３番目のＯＦＤＭシンボル＃３にＤ＿１２、４番目のＯＦＤＭシンボル＃４にＤ＿１１を配置し、５番目から末尾の１４番目のＯＦＤＭシンボル＃５〜＃１４についても同様にして、順にデータシンボルＤ＿１０〜Ｄ＿１を配置する。なお、本例では、ＯＦＤＭシンボルは、１ＴＴＩ（１つの伝送区間）において＃１〜＃１４の１４のシンボルを持つものとする。【００４３】
以上の処理により、ＯＦＤＭシンボルには、１番目及び２番目のＯＦＤＭシンボル＃１、＃２に制御チャネルＣＣＨが配置され、３番目から１４番目までのＯＦＤＭシンボル＃３〜＃１４にデータシンボルＤ＿１２〜Ｄ＿１が順に配置される。すなわち、送信Circular Bufferから読み出され、変調されたデータシンボルは、ＯＦＤＭシンボルにおいて、元の送信Circular Buffer上の符号語データとは逆方向の状態で、制御チャネルＣＣＨの後に順番に配置される。【００４４】
図３は本発明の実施形態における受信局のブロック構成を示す図である。受信局３００となる無線通信装置は、アンテナ３０１、受信ＲＦ部３０２、ＦＦＴ部３０３、分離部３０４、復調部３０５、受信Circular Buffer３０６、復号部３０７、誤り検出部３０８、回線品質推定部３０９、制御信号生成部３１０、符号化部３１１、変調部３１２、送信ＲＦ部３１３を備えて構成される。【００４５】
受信ＲＦ部３０２は、送信局から送信された信号をアンテナ３０１より受信し、ＲＦ信号の受信信号をベースバンド信号に周波数変換する。ＦＦＴ部３０３は、受信ＯＦＤＭシンボルに対してＦＦＴを行って周波数領域の信号に変換し、受信データ信号を分離部３０４へ出力する。【００４６】
分離部３０４は、受信データ信号をデータシンボルと制御情報（割当ＲＢ番号、符号化率、変調多値数、ＲＶパラメータ、ＣＣＦＩ値、ＵＥ属性）とに分離し、割当ＲＢ番号に対応する周波数サブキャリアのデータシンボルを復調部３０５へ出力するとともに、制御情報（変調多値数）を復調部３０５へ出力し、制御情報（符号化率、ＲＶパラメータ、ＵＥ属性）を受信Circular Buffer３０６へ出力する。また、分離部３０４は、受信パイロット信号を回線品質推定部３０９へ出力する。このとき、分離部３０４は、ＣＣＦＩ値に従って、何番目のＯＦＤＭシンボルからデータシンボルが配置されているのかを特定し、データに対応するＯＦＤＭシンボルに配置されているデータシンボルのみ、復調部３０５へ出力する。【００４７】
復調部３０５は、分離部３０４から入力されるデータシンボルを、制御情報で通知された変調多値数に従って復調する。復調された情報（復調後のデータシンボルから得られる尤度情報）は、受信Circular Buffer３０６へ出力される。【００４８】
受信Circular Buffer３０６は、受信データを格納して保持する巡回読出型バッファを構成するメモリを有しており、分離部３０４から入力される制御情報（符号化率、ＲＶパラメータ、ＵＥ属性）に基づいて、復調部３０５で復調された情報を順に格納する。さらに、受信Circular Buffer３０６は、格納された復調情報を読み出して復号部３０７へ出力する。ここで、ＵＥ属性として、割当ＵＥである受信局のＵＥ属性がDynamic-schedulingが適用されるDynamic-UEであった場合、所定のデータ開始地点から受信したＯＦＤＭシンボルと同じ順方向に復調された情報を受信Circular Buffer３０６へ格納する。本実施形態では、受信データのデータ格納位置を示すデータ開始地点として、例えば事前に通知されるＲＶパラメータで指示された開始地点を用いるが、これに限るものではない。【００４９】
一方、割当ＵＥである受信局のＵＥ属性がPersistent-schedulingが適用されるPersistent-UEであった場合、ＲＶパラメータで指示された開始地点から受信データサイズに相当する領域において、すなわち開始地点から受信データサイズ分先のアドレス位置までについて、受信したＯＦＤＭシンボルと逆方向に復調された情報を受信Circular Buffer３０６へ格納する。【００５０】
また、受信Circular Buffer３０６は、誤り検出部３０８からＡＣＫ信号が入力された場合にのみ、すでに格納している受信データを廃棄する。本実施形態では、受信局がPersistent-UEである場合を主に説明するが、この場合の受信Circular Buffer３０６の格納処理の詳細については、後述する。【００５１】
復号部３０７は、受信Circular Buffer３０６から入力されるデータシンボルを誤り訂正復号し、復号ビット列を得る。復号ビット列は、誤り検出部３０８へ出力される。誤り検出部３０８は、復号部３０７から入力される復号ビット列に対して誤り検出復号化（ＣＲＣ）を行う。誤り検出の結果、復号ビットに誤りがある場合には応答信号としてＮＡＣＫ信号を生成し、復号ビットに誤りがない場合には応答信号としてＡＣＫ信号を生成し、制御信号生成部３１０へ出力する。また、誤り検出部３０８は、復号ビット列に誤りが無い場合にはその復号ビット列を受信ビット列として出力する。【００５２】
回線品質推定部３０９は、受信パイロット信号から回線品質（例えばＳＩＮＲ）を推定する。ＳＩＮＲ推定値は、制御信号生成部３１０へ出力される。制御信号生成部３１０は、回線品質推定部３０９から入力されるＳＩＮＲ推定値等によるＣＱＩと、誤り検出部３０８から入力されるＡＣＫ／ＮＡＣＫ信号とからフィードバック情報用のフレームを生成し、符号化部３１１へ出力する。【００５３】
符号化部３１１は、制御信号生成部３１０から入力されるフィードバック情報の符号化を行う。変調部３１２は、符号化されたフィードバック情報の変調を行い、送信ＲＦ部３１３へ出力する。送信ＲＦ部３１３は、符号化および変調されたベースバンド信号をＲＦ信号に周波数変換し、このＲＦ信号の送信信号をアンテナ３０１より送信局へ送信する。上記受信局の構成において、受信Circular Buffer３０６が受信データ処理部の機能を実現する。【００５４】
次に、第１の実施形態の受信局における主要な処理動作の詳細を説明する。ここでは、受信Circular Buffer３０６への格納処理について詳述する。【００５５】
図４は第１の実施形態の受信局におけるデータ処理およびデータの配置構成の一例を示す図である。図４では、Persistent-UEのデータチャネルの配置例として、Persistent-UEのデータチャネルに含まれる受信データシンボルを特定し、復調を介し、受信Circular Bufferへ格納するまでの処理状況を示している。なお、ここでは送信局がＣＣＦＩ＝２で送信した情報を、受信局がＣＣＦＩ＝３と誤って受信した場合について説明する。ＣＣＦＩは誤り検出符号化がなされていないため、ＣＣＦＩエラーとなり誤認識する可能性が高い。処理手順は以下の（Ｂ１）〜（Ｂ３）の３段階であり、図４中の（Ｂ１）〜（Ｂ３）と対応する。【００５６】
（Ｂ１）ＯＦＤＭシンボルから受信データシンボルを特定する処理
分離部３０４は、ＣＣＦＩ値（＝３）に従って、４番目のＯＦＤＭシンボル＃４からデータシンボルが配置されていることを特定する。そして、特定したデータシンボルを復調部３０５へ出力する。図４の例では、４番目のＯＦＤＭシンボル＃４がデータシンボルＤ＿１１に、５番目のＯＦＤＭシンボル＃５がデータシンボルＤ＿１０にそれぞれ対応する。６番目から末尾の１４番目のＯＦＤＭシンボル＃６〜＃１４についても同様にして、順にデータシンボルＤ＿９〜Ｄ＿１が対応する。【００５７】
（Ｂ２）復調処理
復調部３０５は、分離部３０４から入力された順にデータシンボルＤ＿１１〜Ｄ＿１を、事前に通知された変調多値数で復調して復調情報を生成し、受信Circular Buffer３０６へ出力する。【００５８】
（Ｂ３）受信Circular Bufferへの格納処理
受信Circular Buffer３０６は、所定のデータ格納位置として、事前に通知されたＲＶパラメータで指示された開始地点から受信データサイズに相当する領域において、復調情報（復調後のデータシンボル）の末尾から先頭までを逆方向に並び替えてＤ＿１〜Ｄ＿１１として格納する。【００５９】
以上の処理により、受信Circular Buffer３０６には、復調情報Ｄ＿１〜Ｄ＿１１のうち、Ｄ＿１〜Ｄ＿４が符号語のシステマティックビット（図４下段のInterleaved S）に対応する位置に配置され、Ｄ＿５〜Ｄ＿１１が符号語のパリティビット（図４下段のInterleaved and interlaced P1 and P2）に対応する位置に配置されて格納される。よって、受信Circular Bufferにおける格納ずれが発生しない。この場合、ＯＦＤＭシンボルから制御情報と分離され、復調されたデータシンボルは、受信Circular Bufferにおいて、受信したＯＦＤＭシンボルとは逆方向の状態で、つまり送信側での元の送信Circular Buffer上の符号語データと同じ方向に並んだ状態に復元されて配置されることになる。上記例では、受信局におけるＣＣＦＩ値の誤認識により受信データシンボルＤ＿１２の抜け落ちが生じ、この末端側のデータ欠落によって符号化ゲインが若干小さくなるものの、受信Circular Bufferでのデータ格納ずれや先頭のデータ欠落による受信誤りは発生しない。【００６０】
上記のように、本実施形態によれば、受信局がPersistent-schedulingが適用されるPersistent-UEであり、ＣＣＦＩを参照して制御チャネルＣＣＨが配置されるＯＦＤＭシンボル数を認識し、データシンボルを特定してCircular Bufferに格納する動作を行う際に、受信局でＣＣＦＩエラーが発生した場合であっても、データ格納ミスによる初回受信時のパケット誤りを防ぐことができ、再送時にずれた状態で合成することを避けることができる。【００６１】
また、本実施形態は、元のデータ配置とは逆方向に送信Circular Bufferから読み出したり受信Circular Bufferへ格納するという単純な処理であるため、処理にかかるステップや構成を簡易なものとすることができる。また、送信Circular Bufferや受信Circular Bufferにおいて、データの連続性を保持でき、送信処理や受信処理において連続的な処理が可能となる。したがって、ＣＣＦＩ値によって送信Circular Bufferの読出方向や受信Circular Bufferへの格納方向が変化することや、複数の受信局の割り当てによってデータ配置が断続的になることなどを回避でき、各種条件に対応した処理の複雑化を抑止できる。【００６２】
（第２の実施形態）
第２の実施形態は、１つの送信するための単位（Transport-block）が複数の符号化の単位（Code-block）で構成される場合の例を示す。本実施形態では、１Transport-blockが複数のCode-blockで構成される場合、すべてのCode-blockデータが各ＯＦＤＭシンボルへ均等となるように配置する。【００６３】
第２の実施形態の送信局、受信局のブロック構成は、図１、図３に示した第１の実施形態と同様である。第２の実施形態では、図１に示した送信Circular Buffer１０３の読出処理と、図３に示した受信Circular Buffer３０６への格納処理とが上述した第１の実施形態と異なる。以下、具体例を示して説明する。【００６４】
図５は第２の実施形態におけるデータ処理およびデータの配置構成の一例を示す図である。図５においては、第１の実施形態と同様、送信局が無線通信基地局装置ＮＢ、受信局がPersistent-UEである無線通信移動局装置Ｐ−ＵＥの場合を示している。この例では、１Transport-blockが２つのCode-blockで構成され、それぞれのCode-block_1（ＣＢ１），Code-block_2（ＣＢ２）は、１〜１２の変調されたデータシンボルで構成されているものとする。すなわち、Code-block_1（ＣＢ１）はＣＢ１＿１〜ＣＢ１＿６において１〜１２のデータシンボルを有し、Code-block_2（ＣＢ２）はＣＢ２＿１〜ＣＢ２＿６において１〜１２のデータシンボルを有している。１Transport-blockのデータサイズがCode-blockの上限を超える場合は、複数のCode-blockに分割して処理が行われる。【００６５】
まず、第２の実施形態における送信Circular Buffer１０３の読出処理を説明する。なお、ここでは送信局がＣＣＦＩ＝２で送信した情報を、受信局がＣＣＦＩ＝３と誤って受信した場合について説明する。【００６６】
送信Circular Buffer１０３は、制御部１１２から指示されたＲＶパラメータと送信データサイズに基づいて、送信する符号語データを特定する。次に、特定したそれぞれのCode-blockの符号語データを末尾から先頭まで逆方向に順に読み出し、変調部１０４へ出力する。その際、Code-block_1およびCode-block_2の符号語データが各ＯＦＤＭシンボルへ均等となるように、時間方向に対して均等に読み出す。そして、変調部１０４で読み出した符号語データを変調した後、多重部１０５で各ＯＦＤＭシンボルへ２つのCode-blockが均等となるようにデータシンボルを配置する。これにより、元の送信Circular Buffer上の符号語データとは逆方向の状態で、各ＯＦＤＭシンボルに対して、２つのCode-blockのデータシンボルが時間方向に均等な状態となって配置される。【００６７】
次に、第２の実施形態における受信Circular Buffer３０６への格納処理を説明する。分離部３０４でＣＣＦＩ値に従ってデータシンボルが特定されて分離され、復調部３０５でデータシンボルが復調されて復調情報が生成される。【００６８】
受信Circular Buffer３０６は、事前に通知されたＲＶパラメータで指示された開始地点から、復調情報の末尾から先頭までをそれぞれのCode-blockごとに逆方向に並び替えて格納する。その際、時間方向に対して均等に配置されたCode-block_1およびCode-block_2の復調情報を、それぞれのCode-block_1，Code-block_2の情報としてほぼ等しいサイズに２分割して格納する。これにより、受信Circular Buffer３０６において、受信したＯＦＤＭシンボルとは逆方向の状態で、つまり送信側での元の送信Circular Buffer上の符号語データと同じ方向の状態に各Code-blockが復元されて配置される。【００６９】
図５の例では、受信局におけるＣＣＦＩ値の誤認識により各Code-blockの受信データシンボル１２の抜け落ちが生じ、この末端側のデータ欠落によって符号化ゲインが若干小さくなるものの、すべてのCode-blockにおいて受信Circular Bufferでのデータ格納ずれや先頭のデータ欠落による受信誤りは発生しない。【００７０】
このように、本実施形態によれば、１Transport-blockが複数のCode-blockで構成される場合において、受信局のPersistent-UEがＣＣＦＩエラーを引き起こしたとしても、データ格納ミスによる後続のCode-blockのパケット誤りを防ぐことができ、再送時にずれた状態で合成することを避けることができる。【００７１】
（第３の実施形態）
第３の実施形態は、Persistent-UEに対して再送時に通知される制御情報に、前回の受信ＴＴＩのＣＣＦＩ情報を組込んだ例を示す。【００７２】
第３の実施形態の送信局、受信局のブロック構成は、図１、図３に示した第１の実施形態と同様である。第３の実施形態では、図１に示した制御部１１２における制御情報が上述した第１の実施形態と異なる。以下、具体例を示して説明する。【００７３】
図６は第３の実施形態におけるデータ処理およびデータの配置構成の一例を示す図である。図６においては、第１の実施形態と同様、送信局が無線通信基地局装置ＮＢ、受信局がPersistent-UEである無線通信移動局装置Ｐ−ＵＥの場合を示している。【００７４】
この例では、１フレーム（例えば１０ｍｓ）が＃１〜＃１０のＴＴＩ（例えば１ＴＴＩ＝１ｍｓ）で構成される場合に、Persistent-UEの受信局が１番目のＴＴＩ＃１で制御情報（DL-grant）を受信し、５番目のＴＴＩ＃５でデータ受信を行い、再送となった場合に９番目のＴＴＩ＃９で再送時の制御情報（DL-grant）を受信するものとする。ここでは初回受信および再送１回までを想定する。また、受信局は、ＣＣＦＩがいずれの値であっても、初回受信時に４〜１４番目のＯＦＤＭシンボル＃４〜＃１４のみを使用して復号処理を行う。すなわち、ＣＣＦＩ値によらず制御チャネルＣＣＨが配置される可能性の無いＯＦＤＭシンボルのみを復号に用いる。【００７５】
この場合、ＣＣＦＩ＝２であるとすると、受信データとしては３番目のＯＦＤＭシンボル＃３にデータＤ＿１２が配置されるが、２〜３番目のＯＦＤＭシンボル＃２〜＃３のデータは初回受信時には復号に使用せずに一旦格納だけしておく。これによって、例えばＣＣＦＩ＝２をＣＣＦＩ＝１と誤るなど、値が小さい方向にＣＣＦＩエラーが生じた場合の過剰受信を回避できる。【００７６】
第３の実施形態では、送信局の制御部１１２は、Persistent-UEの受信局に対して再送時の制御情報（DL-grant）に初回送信時のＣＣＦＩ情報を含めるようにする。そして、受信局では、再送時の制御情報内に含まれるＣＣＦＩ情報を参照し、信頼度の高いＣＣＦＩ値を得る。これにより、受信局は、再送時の制御情報内に含まれるＣＣＦＩ情報を用いて再送の場合の受信処理を行い、初回受信時にあいまいであった情報（図６の例ではＤ＿１２）を合成して復号できるため、符号化ゲインを得ることができる。【００７７】
このように、本実施形態によれば、受信局のPersistent-UEがＣＣＦＩエラーを引き起こしたとしても、過剰受信することを防ぐことができ、また、再送時の制御情報より初回受信時にあいまいであったデータ情報を合成して復号できるため、符号化ゲインが得られる。【００７８】
（変形例）
図７は本実施形態の第１変形例におけるデータ処理およびデータの配置構成の一例を示す図である。第１変形例として、送信Circular Buffer１０３の読出処理と、多重部１０５におけるデータシンボルのＯＦＤＭシンボルへの配置処理を変更した例を示す。【００７９】
上記の実施形態では、送信Circular Buffer１０３の読出処理を逆方向に行う例について記載したが、第１変形例ではこの代わりに、送信Circular Buffer１０３の読出処理を順方向に行い、かつ、多重部１０５において、変調したデータシンボルをＴＴＩ末尾のＯＦＤＭシンボル＃１４から逆方向に配置していく処理を行うようにする。なお、受信側での受信Circular Buffer３０６への格納処理は、第１〜第３の実施形態と同様である。【００８０】
この第１変形例では、例えば図２の処理（Ａ１）〜（Ａ３）の代わりに、図７の処理（Ａ１）′〜（Ａ３）′を実行する。この場合、送信Circular Buffer１０３から符号語データＤ＿１〜Ｄ＿１２をそのまま順方向に読み出し、変調部１０４で変調した後、多重部１０５において、１４番目のＯＦＤＭシンボル＃１４から３番目のＯＦＤＭシンボル＃３まで逆方向にデータシンボルを配置する。これにより、ＯＦＤＭシンボルには、データシンボルがＤ＿１２、Ｄ＿１１、…、Ｄ＿１のように逆方向の状態で順に配置される。【００８１】
このような第１変形例の処理によっても、上述した第１〜第３の実施形態と同様の結果が得られ、受信局でＣＣＦＩエラーが発生した場合であっても、データ格納ミスによる初回受信時のパケット誤りを防ぐことができ、再送時にずれた状態で合成することを避けることができる。【００８２】
図８は本実施形態の第２変形例におけるデータ処理およびデータの配置構成の一例を示す図である。第２変形例として、上記第２の実施形態における複数のCode-blockの配置を変更した例を示す。【００８３】
上述した第２の実施形態では、送信Circular Buffer１０３の読出処理と受信Circular Buffer３０６への格納処理において、Code-block_1，Code-block_2のそれぞれのCode-blockデータを各ＯＦＤＭシンボルへ時間方向に均等となるように配置している。一方、第２変形例では、この処理の代わりに、すべてのCode-blockデータ（ここではCode-block_1， Code-block_2の２つのCode-blockデータ）が各ＯＦＤＭシンボルに対して周波数方向に均等となるように配置する。【００８４】
このような第２変形例の処理によっても、上述した第２の実施形態と同様の効果が得られ、受信局のPersistent-UEがＣＣＦＩエラーを引き起こしたとしても、すべてのCode-blockについてデータ格納ミスによるパケット誤りを防ぐことができ、再送時にずれた状態で合成することを避けることができる。【００８５】
図９は本実施形態の第３変形例におけるデータ処理およびデータの配置構成の一例を示す図である。第３変形例として、上記第２の実施形態における複数のCode-blockの配置を変更した他の例を示す。【００８６】
上述した第２の実施形態では、送信Circular Buffer１０３の読出処理と受信Circular Buffer３０６への格納処理において、Code-block_1，Code-block_2のそれぞれのCode-blockデータを各ＯＦＤＭシンボルへ時間方向に均等となるように配置している。一方、第３変形例では、この処理の代わりに、制御チャネルＣＣＨが配置される可能性のあるＯＦＤＭシンボルに対してのみ、すべてのCode-blockデータが均等となるように配置する。ここでは、制御チャネルＣＣＨが配置される可能性のある３番目のＯＦＤＭシンボル＃３に対してのみ、Code-block_1，Code-block_2の２つのCode-blockデータが時間方向に均等となるように配置している。【００８７】
このような第３変形例の処理によっても、上述した第２の実施形態と同様の効果が得られ、受信局のPersistent-UEがＣＣＦＩエラーを引き起こしたとしても、すべてのCode-blockについてデータ格納ミスによるパケット誤りを防ぐことができ、再送時にずれた状態で合成することを避けることができる。【００８８】
図１０は本実施形態の第４変形例におけるデータ処理およびデータの配置構成の一例を示す図である。上述した第１〜第３の実施形態は、この第４変形例のように、１つのＴＴＩ内にDynamic-schedulingが適用されるDynamic-UEとPersistent-schedulingが適用されるPersistent-UEとを多重して割り当てた場合（Distributed割当）にも適用可能である。
Dynamic-UE用のデータとPersistent-UE用のデータとを多重する場合、送信局では、Persistent-UE用のデータチャネルをＴＴＩ末尾のＯＦＤＭシンボルから逆順に配置する。この例では、Persistent-UE用の符号化データＤ＿１〜Ｄ＿６を送信Circular Bufferの末尾から逆方向にＤ＿６〜Ｄ＿１と読み出し、ＯＦＤＭシンボルの末尾側の９番目から１４番目のＯＦＤＭシンボル＃９〜＃１４において逆方向にデータシンボルＤ＿６〜Ｄ＿１を配置する。Persistent-UEの受信局では、逆方向に配置されたデータを逆順に元に並び替えて受信Circular Bufferに格納する。【００８９】
この第４変形例においても、上記実施形態と同様、データの連続性を保持でき、複数の受信局の割り当てを行う際に各受信局のデータ配置が断続的になることを回避できる。Persistent-UEのデータチャネルをＴＴＩ末尾のＯＦＤＭシンボルから逆順に配置することにより、Distributed割当のDynamic-UEの割当領域を時間的に連続させることができ、ＣＣＦＩ値によらず連続受信が可能であるので、受信処理が簡単にできる。【００９０】
なお、本発明で説明に利用したＣＣＦＩは、”PCFICH (Physical Control Format Indicator Channel)”と表現されることもある。【００９１】
なお、本発明は上記の実施形態において示されたものに限定されるものではなく、明細書の記載、並びに周知の技術に基づいて、当業者が変更、応用することも本発明の予定するところであり、保護を求める範囲に含まれる。【００９２】
なお、第１の実施形態（図２）では、ＯＦＤＭシンボル＃３〜＃１４に対して、逆順にしたデータ（Ｄ＿１２〜Ｄ＿１）を配置したが、（配置パターンを送受信間で共有した上で）Ｄ＿１１，９，６，５，７，８，１２，１０，２，３，４，１のように、制御チャネルＣＣＨが配置される可能性のあるＯＦＤＭシンボル（＃３）にパリティビットのみで構成されるデータシンボルしかマップされない、という配置でもよい。【００９３】
なお、本発明の実施形態例では、誤り訂正符号化にターボ符号を用いる例で説明したが、ＬＤＰＣ符号であってもよい。【００９４】
なお、第１の実施形態（図４）では、ＣＣＦＩをエラーして受信データが抜け落ちてしまう＃３のＯＦＤＭシンボルにＤ＿１２を配置する例を示したが、性能劣化を引き起こしにくい（または、符号語間最小ハミング距離を短くさせない）パリティビットを配置する方法であってもよい。【００９５】
上記各実施の形態では、本発明をハードウェアで構成する場合を例にとって説明したが、本発明はソフトウェアで実現することも可能である。【００９６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００９８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００９９】
本発明を詳細にまた特定の実施態様を参照して説明したが、本発明の精神と範囲を逸脱することなく様々な変更や修正を加えることができることは当業者にとって明らかである。
本出願は、２００７年８月９日出願の日本特許出願（特願２００７−２０８１２８）に基づくものであり、その内容はここに参照として取り込まれる。
【産業上の利用可能性】
【０１００】
本発明は、ＣＣＦＩエラーが生じた場合であっても、バッファへのデータ格納ミスによる初回受信時のパケット誤りを防ぐことができ、再送時にずれた状態で合成することを回避することが可能となる効果を有し、例えばセルラーシステムにおける無線通信基地局装置および無線通信移動局装置など、ＯＦＤＭを用いたデータ伝送を行う無線通信装置、無線通信システム及び無線通信方法等として有用である。
【図１】
2009019817.tif 000003
【図２】
2009019817.tif 000004
【図３】
2009019817.tif 000005
【図４】
2009019817.tif 000006
【図５】
2009019817.tif 000007
【図６】
2009019817.tif 000008
【図７】
2009019817.tif 000009
【図８】
2009019817.tif 000010
【図９】
2009019817.tif 000011
【図１０】
2009019817.tif 000012
【図１１】
2009019817.tif 000013
【手続補正書】
【提出日】平成22年1月19日(2010.1.19)
【手続補正１】
【補正対象書類名】明細書
【補正対象項目名】全文
【補正方法】変更
【補正の内容】
【発明の詳細な説明】
【技術分野】
【０００１】
本発明は、ＯＦＤＭ（Orthogonal Frequency Division Multiplexing）を用いたデータ伝送を行う無線通信装置、無線通信システム及び無線通信方法に関する。
【背景技術】
【０００２】
第３世代移動通信サービスが開始され、データ通信や映像通信などのマルチメディア通信が非常に盛んになってきている．こうしたなかで、今後さらに通信されるデータサイズはますます大きくなり、データレート高速化への要求は高まってくるであろう。
【０００３】
そこで、３ＧＰＰ−ＬＴＥ（3rd Generation Partnership Project Long Term Evolution）では、１００Ｍｂｐｓという高速伝送を実現すべく標準化活動が盛んに行われている。この目標達成のために最も有力な通信方式として、ＯＦＤＭをベースとした方式が考えられている。
【０００４】
また、周波数利用効率の向上のために、誤り訂正符号と再送制御を組み合わせたＨＡＲＱ（Hybrid Automatic Repeat reQuest）が検討されている。３ＧＰＰ−ＬＴＥのＨＡＲＱシステムでは、リダンダンシーバージョン（Redundancy Version、以後、ＲＶと記載）などの再送データの定義を簡単化するために、ＣＢＲＭ（Circular Buffer based Rate-Matching）が検討されている（非特許文献１参照）。ＣＢＲＭとは、巡回読出型バッファであるCircular Bufferに蓄積されたターボ符号語を、ある任意の開始地点からバッファのアドレス順に巡回読出することにより、ＲＶを定義するというレートマッチング方法のことである。
【先行技術文献】
【非特許文献】
【０００５】
【非特許文献１】R1-072604, "Way forward on HARQ rate matching for LTE", Ericsson, et al., 3GPP TSG-RAN WG1 RAN1#49 寄書, 2007/05
【発明の概要】
【発明が解決しようとする課題】
【０００６】
図１１はCircular Bufferを用いた場合の送信局と受信局におけるデータの配置構成の一例を示す図である。図１１において、送信局ＮＢ（Node-B）は送信側の３ＧＰＰ−ＬＴＥにおける無線通信基地局装置を、受信局Ｐ−ＵＥ（Persistent-User Equipment）は受信側の３ＧＰＰ−ＬＴＥにおける無線通信移動局装置をそれぞれ示している。Persistent-User Equipmentは、Persistent-schedulingが適用されるユーザ端末であり、Persistent-schedulingとは、あらかじめ送受信局間でスケジューリングパターンを決めておくことにより、スケジューリングにかかる制御情報の削減を目的としたスケジューリングのことである。ここでは、受信局Ｐ−ＵＥに対する送信局ＮＢにおける送信Circular Bufferの構成、および、受信局Ｐ−ＵＥにおける受信Circular Bufferの構成を示す。
【０００７】
受信局Ｐ−ＵＥは、データ割当があるＴＴＩ（Transmission Time Interval）においてＣＣＦＩ（Control Channel Format Indicator）を参照した後に、データを受信する。ここで、ＴＴＩとは、スケジューリングを行う時間単位（例えば１ｍｓ）である。ＣＣＦＩとは、ＴＴＩ内で制御情報が配置されるＯＦＤＭシンボル数を通知する情報である。図１１の例では、送信局ＮＢがＣＣＦＩ＝２で送信したデータを、受信局Ｐ−ＵＥがＣＣＦＩ＝３と誤って受信した状況を示す。制御情報は、スケジューリングされた受信局Ｐ−ＵＥの制御情報であるＣＣＨ（Control Channel）で示してある。ＣＣＦＩは、伝送周波数帯域上のＯＦＤＭシンボル＃１のいずれかのサブキャリアに割り当てられ、誤り検出符号化がなされていないため、ＣＣＦＩエラーとなり誤って解釈する可能性が高い。
【０００８】
この場合、受信局Ｐ−ＵＥはＣＣＦＩ＝３で受信を行うため、ＴＴＩ内で３番目のＯＦＤＭシンボル＃３に配置されたデータＤ＿１を受信欠落してしまう。さらに、受信局Ｐ−ＵＥは受信開始地点を４番目のＯＦＤＭシンボル＃４のデータＤ＿２と判断して受信Circular Bufferへ格納するため、本来はデータＤ＿１から配置されるべき受信Circular BufferにデータＤ＿２から配置されることにより、全体的にずれた状態で受信Circular Bufferへ格納されてしまう。これらの先頭データの欠落とバッファ格納位置のずれにより、初回受信時のパケット誤りが発生する上に、再送時にもずれた状態で合成されるため、パケット誤りを改善できないという課題がある。
【０００９】
本発明は、上記事情に鑑みてなされたもので、その目的は、ＣＣＦＩエラーが生じた場合であっても、バッファへのデータ格納ミスによる初回受信時のパケット誤りを防ぐことができ、再送時にずれた状態で合成することを回避することが可能な無線通信装置、無線通信システム及び無線通信方法を提供することにある。
【課題を解決するための手段】
【００１０】
本発明は、第１に、Persistent-schedulingが適用される受信局に対して、ＯＦＤＭを用いたデータ伝送を行う送信局となる無線通信装置であって、受信局へ送信するためのデータを格納するCircular Bufferを備え、前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える無線通信装置を提供する。
これにより、Persistent-schedulingが適用される受信局がＣＣＦＩエラーを引き起こしたとしても、バッファへのデータ格納ミスによる初回受信時のパケット誤りを防ぐことができ、再送時にずれた状態で合成することを回避することが可能となる。
【００１１】
また、本発明は、第２に、上記第１の無線通信装置であって、前記送信データ処理部は、前記Circular Bufferからのデータの読出処理において、送信するデータの末尾から逆方向にデータを読み出すものを含む。
【００１２】
また、本発明は、第３に、上記第１の無線通信装置であって、前記送信データ処理部は、前記変調後のデータシンボルのＯＦＤＭシンボルへの配置処理において、末尾のＯＦＤＭシンボルから逆方向にデータを配置するものを含む。
【００１３】
また、本発明は、第４に、上記第１の無線通信装置であって、前記送信データ処理部は、前記受信局へ伝送するデータにおいて、１つの送信するための単位（Transport-block）が複数の符号化の単位（Code-block）で構成される場合、すべてのCode-blockデータが各ＯＦＤＭシンボルに対して均等となるように配置するものを含む。
これにより、Persistent-schedulingが適用される受信局がＣＣＦＩエラーを引き起こしたとしても、データ格納ミスによる後続のCode-blockのパケット誤りを防ぐことができ、再送時にずれた状態で合成することを避けることが可能となる。
【００１４】
また、本発明は、第５に、上記第４の無線通信装置であって、前記送信データ処理部は、すべてのCode-blockデータが各ＯＦＤＭシンボルへ時間方向に均等となるように配置するものを含む。
【００１５】
また、本発明は、第６に、上記第４の無線通信装置であって、前記送信データ処理部は、すべてのCode-blockデータが各ＯＦＤＭシンボルへ周波数方向に均等となるように配置するものを含む。
【００１６】
また、本発明は、第７に、上記第４の無線通信装置であって、前記送信データ処理部は、すべてのCode-blockデータが、制御チャネルが配置される可能性のあるＯＦＤＭシンボルに対してのみ均等となるように配置するものを含む。
【００１７】
また、本発明は、第８に、上記第１の無線通信装置であって、自己の送信局から送信対象とする受信局として、Dynamic-schedulingが適用される第１の受信局とPersistent-schedulingが適用される第２の受信局とを離散的(Distributed)に多重する場合、前記送信データ処理部は、前記Persistent-schedulingが適用される第２の受信局へ送信するデータを伝送区間の末尾のＯＦＤＭシンボルから逆方向に配置するものを含む。
これにより、複数の受信局の割り当てを行う際に各受信局のデータ配置が断続的になることを回避できる。この場合、Dynamic-schedulingが適用される第１の受信局の割当領域を時間的に連続させることができ、ＣＣＦＩ値によらず連続受信が可能であるので、受信処理が簡単になる。
【００１８】
また、本発明は、第９に、上記第１の無線通信装置であって、前記Persistent-schedulingが適用される受信局への再送時に通知される制御情報に、前回の受信時のＣＣＦＩ（Control Channel Format Indicator）情報を組み込む制御情報処理部を備えるものを含む。
これにより、Persistent-schedulingが適用される受信局がＣＣＦＩエラーを引き起こしたとしても、過剰受信することを防ぐことができ、また、再送時の制御情報より初回受信時にあいまいであったデータ情報を合成して復号できるため、符号化ゲインが得られる。
【００１９】
また、本発明は、第１０に、Persistent-schedulingが適用される受信局となり、送信局との間でＯＦＤＭを用いたデータ伝送を行う無線通信装置であって、送信局から受信したデータを格納するCircular Bufferを備え、前記送信局よりＯＦＤＭシンボルにおいて逆方向に配置されたデータを受信した場合に、前記Circular Bufferへのデータの格納処理において、所定のデータ格納位置に逆方向に並び替えてデータを格納する受信データ処理部を備える無線通信装置を提供する。
【００２０】
また、本発明は、第１１に、上記第１０の無線通信装置であって、前記受信データ処理部は、前記送信局から伝送されるデータにおいて、１つの送信するための単位（Transport-block）が複数の符号化の単位（Code-block）で構成される場合、すべてのCode-blockデータが各ＯＦＤＭシンボルに対して均等となるように逆方向に配置されたデータを、それぞれのCode-blockごとに逆方向に並び替えて格納するものを含む。
【００２１】
また、本発明は、第１２に、上記第１０の無線通信装置であって、送信局が送信対象とする受信局として、Dynamic-schedulingが適用される他の受信局とPersistent-schedulingが適用される自己の受信局とが離散的(Distributed)に多重された場合、前記受信データ処理部は、自己の受信局用の末尾のＯＦＤＭシンボルから逆方向に配置されたデータを、逆順に元に並び替えて格納するものを含む。
【００２２】
また、本発明は、第１３に、送信局と、Persistent-schedulingが適用される受信局との間でＯＦＤＭを用いたデータ伝送を行う無線通信システムであって、
受信局へ送信するためのデータを格納するCircular Bufferを備え、前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える送信局である第１の無線通信装置と、
送信局から受信したデータを格納するCircular Bufferを備え、前記Persistent-schedulingが適用される受信局となり、前記送信局から逆方向に配置されたデータを受信した場合に、前記Circular Bufferへのデータの格納処理において、所定のデータ格納位置に逆方向にデータを格納する受信データ処理部を備える受信局である第２の無線通信装置と、を有する無線通信システムを提供する。
【００２３】
また、本発明は、第１４に、Persistent-schedulingが適用される受信局に対して、ＯＦＤＭを用いたデータ伝送を行う送信局となる無線通信装置における無線通信方法であって、前記Persistent-schedulingが適用される受信局へ送信するデータに関して、前記受信局へ送信するためのデータを格納するCircular Bufferからのデータの読出処理、または、変調後のデータシンボルのＯＦＤＭシンボルへの配置処理のいずれかの処理において、逆順にデータ処理を行う送信データ処理ステップを有する無線通信方法を提供する。
【００２４】
また、本発明は、第１５に、Persistent-schedulingが適用される受信局となり、送信局との間でＯＦＤＭを用いたデータ伝送を行う無線通信装置における無線通信方法であって、前記送信局から逆方向に配置されたデータを受信した場合に、前記送信局から受信したデータを格納するCircular Bufferへのデータの格納処理において、所定のデータ格納位置に逆方向にデータを格納する受信データ処理ステップを有する無線通信方法を提供する。
【発明の効果】
【００２５】
本発明によれば、ＣＣＦＩエラーが生じた場合であっても、バッファへのデータ格納ミスによる初回受信時のパケット誤りを防ぐことができ、再送時にずれた状態で合成することを回避することが可能な無線通信装置、無線通信システム及び無線通信方法を提供できる。
【図面の簡単な説明】
【００２６】
【図１】本発明の実施形態における送信局のブロック構成を示す図
【図２】第１の実施形態の送信局におけるデータ処理およびデータの配置構成の一例を示す図
【図３】本発明の実施形態における受信局のブロック構成を示す図
【図４】第１の実施形態の受信局におけるデータ処理およびデータの配置構成の一例を示す図
【図５】第２の実施形態におけるデータ処理およびデータの配置構成の一例を示す図
【図６】第３の実施形態におけるデータ処理およびデータの配置構成の一例を示す図
【図７】本実施形態の第１変形例におけるデータ処理およびデータの配置構成の一例を示す図
【図８】本実施形態の第２変形例におけるデータ処理およびデータの配置構成の一例を示す図
【図９】本実施形態の第３変形例におけるデータ処理およびデータの配置構成の一例を示す図
【図１０】本実施形態の第４変形例におけるデータ処理およびデータの配置構成の一例を示す図
【図１１】Circular Bufferを用いた場合の送信局と受信局におけるデータの配置構成の一例を示す図
【発明を実施するための形態】
【００２７】
本実施形態では、本発明に係る無線通信システム、無線通信装置及び再送制御方法の一例として、ＯＦＤＭを用いた無線伝送方式で通信を行う場合の構成例を示す。以下の実施形態の説明では、ＦＤＤ（Frequency Division Duplex）システムを仮定する。なお、ＴＤＤ（Time Division Duplex）システムでも実施可能である。また、データを送信する側を送信局、データを受信する側を受信局とする。なお、下記の実施形態は説明のための一例であり、本発明はこれに限定されるものではない。
【００２８】
（第１の実施形態）
図１は本発明の実施形態における送信局のブロック構成を示す図である。送信局１００となる無線通信装置は、ＣＲＣ部１０１、符号化部１０２、送信Circular Buffer１０３、変調部１０４、多重部１０５、ＩＦＦＴ部１０６、送信ＲＦ部１０７、アンテナ１０８、受信ＲＦ部１０９、復調部１１０、復号部１１１、制御部１１２を備えて構成される。本実施形態では、例えば、セルラーシステムにおいて無線通信基地局装置と無線通信移動局装置との間で通信を行う場合に、無線通信基地局装置ＮＢ（Node-B）が送信側の送信局、無線通信移動局装置ＵＥ（User Equipment）が受信側の受信局となる場合を例示する。また、受信局は、Persistent-schedulingが適用されるPersistent-User Equipment（以下、Persistent-UEと記載）である場合を想定し、ＣＣＦＩを参照して伝送区間としてのＴＴＩ内における制御情報（制御チャネル）が配置されるＯＦＤＭシンボル数を認識し、データシンボルを特定する動作を行うものとする。
【００２９】
ＣＲＣ部１０１は、入力される送信データを誤り検出符号化（Cyclic Redundancy Check）し、ＣＲＣがかけられたデータを符号化部１０２へ出力する。符号化部１０２は、ＣＲＣがかけられたデータをマザー符号化率（例えば、符号化率Ｒ＝１／３）でターボ符号化し、導出された符号語（符号化されたデータ）を送信Circular Buffer１０３へ出力する。
【００３０】
送信Circular Buffer１０３は、送信データを格納して保持する巡回読出型バッファを構成するメモリを有しており、制御部１１２から入力される送信データサイズ、符号化率、ＲＶパラメータ、ＵＥ属性（受信側のユーザ端末属性）に従って、格納されたデータの中から送信する符号語データを読み出して変調部１０４へ出力する。ここで、ＵＥ属性として、割当ＵＥである受信局のＵＥ属性がDynamic-schedulingが適用されるDynamic-User Equipment（以下、Dynamic-UEと記載）であった場合、所定のデータ開始地点から順方向に読み出した符号語データを変調部１０４へ出力する。本実施形態では、送信データのデータ格納位置を示すデータ開始地点として、例えば事前に通知されるＲＶパラメータで指示された開始地点を用いるが、これに限るものではない。
【００３１】
一方、割当ＵＥである受信局のＵＥ属性がPersistent-schedulingが適用されるPersistent-UEであった場合、ＲＶパラメータで指示された開始地点から送信データサイズに相当する領域において、すなわち開始地点から送信データサイズ分先のアドレス位置までについて、末尾から逆方向に読み出した符号語データを変調部１０４へ出力する。本実施形態では、受信局がPersistent-UEである場合を主に説明するが、この場合の送信Circular Buffer１０３の読出処理の詳細については、後述する。
【００３２】
変調部１０４は、送信Circular Buffer１０３から入力された順に符号語データを、制御部１１２から入力される変調多値数で変調してデータシンボルを生成し、多重部１０５へ出力する。
【００３３】
多重部１０５は、変調部１０４から入力されるデータシンボルを、制御部１１２から入力される割当ＲＢ（Resource Block）番号に対応する周波数サブキャリアへ配置する。また、多重部１０５では、制御部１１２から入力されるＣＣＦＩ値に従って、何番目のＯＦＤＭシンボルからデータシンボルを配置するのかを決定する。さらに、多重部１０５は、データシンボル、制御部１１２から入力される制御情報、パイロット信号（参照信号）を多重する。上記データシンボルをＯＦＤＭシンボルへ配置する処理の詳細については、送信Circular Bufferの読出処理とともに後述する。
【００３４】
ＩＦＦＴ部１０６は、多重部１０５より入力される情報に対してＩＦＦＴを行って、マルチキャリア信号であるＯＦＤＭシンボルを生成する。送信ＲＦ部１０７は、ベースバンド信号をＲＦ信号に周波数変換し、このＲＦ信号の送信信号をアンテナ１０８より受信局へ送信する。
【００３５】
受信ＲＦ部１０９は、受信局から送信された制御信号をアンテナ１０８より受信し、ＲＦ信号の受信信号をベースバンド信号に周波数変換する。受信局から制御信号としては、受信品質を示すＣＱＩ（Channel Quality Indicator）、および受信の可否を示すＡＣＫ（Acknowledgement）／ＮＡＣＫ（Negative Acknowledgement）信号などが含まれる。
【００３６】
復調部１１０は、制御信号（ＣＱＩ、ＡＣＫ／ＮＡＣＫ信号）を復調して復号部１１１へ出力する。復号部１１１は、復調された制御信号（ＣＱＩ、ＡＣＫ／ＮＡＣＫ信号）を復号して制御部１１２)へ出力する。
【００３７】
制御部１１２は、復号部１１１から入力された各受信局からの制御信号（ＣＱＩ、ＡＣＫ／ＮＡＣＫ信号）に基づいて、符号化率、変調多値数、割当ＲＢ番号、ＣＣＦＩ値、および再送を制御する。制御部１１２は、生成した符号化率の情報を送信Circular Buffer１０３へ出力し、変調多値数を変調部１０４へ出力し、割当ＲＢ番号、ＣＣＦＩ値および制御情報を多重部１０５へ出力する。なお、受信局が報告するＣＱＩは、平均ＳＩＮＲ（Signal-to-Interference plus Noise power Ratio）でも、平均ＳＩＲ（Signal-to-Interference Ratio）でも、ＭＣＳ（Modulation and Coding Scheme）パラメータでも構わない。上記送信局の構成において、送信Circular Buffer１０３、多重部１０５、および制御部１１２が送信データ処理部の機能を実現し、制御部１１２が制御情報処理部の機能を実現する。
【００３８】
次に、第１の実施形態の送信局における主要な処理動作の詳細を説明する。ここでは、送信Circular Buffer１０３の読出処理と、多重部１０５におけるデータシンボルをＯＦＤＭシンボルへ配置する処理との２点について詳述する。
【００３９】
図２は第１の実施形態の送信局におけるデータ処理およびデータの配置構成の一例を示す図である。図２では、Persistent-UEのデータチャネルの配置例として、Persistent-UEのデータチャネルを送信Circular Bufferから読み出し、変調を介し、対応するＯＦＤＭシンボルへ配置するまでの処理状況を示している。なお、ここではＣＣＦＩ＝２の場合を説明する。処理手順は以下の（Ａ１）〜（Ａ３）の３段階であり、図２中の（Ａ１）〜（Ａ３）と対応する。
【００４０】
（Ａ１）送信Circular Bufferの読出処理
送信Circular Buffer１０３は、制御部１１２から指示されたＲＶパラメータと送信データサイズに基づいて、送信する符号語データを特定する。ここでは、送信する符号語データがＤ＿１〜Ｄ＿１２であるとする。なお、符号語データＤ＿１〜Ｄ＿１２のうち、Ｄ＿１〜Ｄ＿４は符号語のシステマティックビット（図２上段のInterleaved S）に対応し、Ｄ＿５〜Ｄ＿１２は符号語のパリティビット（図２上段のInterleaved and interlaced P1 and P2）に対応する。
次に、特定した符号語データを末尾から先頭まで逆方向に順にＤ＿１２、Ｄ＿１１、…、Ｄ＿１と読み出し、変調部１０４へ出力する。
【００４１】
（Ａ２）変調処理
変調部１０４は、送信Circular Buffer１０３から入力された順に符号語データＤ＿１２〜Ｄ＿１を、制御部１１２から入力される変調多値数で変調してデータシンボルを生成し、多重部１０５へ出力する。
【００４２】
（Ａ３）データシンボルをＯＦＤＭシンボルへ配置する処理
多重部１０５は、制御部１１２から入力されるＣＣＦＩ値（＝２）に基づき、割当ＲＢ番号のサブキャリアに対して、３番目のＯＦＤＭシンボル＃３から順に、変調部１０４から入力されるデータシンボルＤ＿１２〜Ｄ＿１を配置する。図２の例では、３番目のＯＦＤＭシンボル＃３にＤ＿１２、４番目のＯＦＤＭシンボル＃４にＤ＿１１を配置し、５番目から末尾の１４番目のＯＦＤＭシンボル＃５〜＃１４についても同様にして、順にデータシンボルＤ＿１０〜Ｄ＿１を配置する。なお、本例では、ＯＦＤＭシンボルは、１ＴＴＩ（１つの伝送区間）において＃１〜＃１４の１４のシンボルを持つものとする。
【００４３】
以上の処理により、ＯＦＤＭシンボルには、１番目及び２番目のＯＦＤＭシンボル＃１、＃２に制御チャネルＣＣＨが配置され、３番目から１４番目までのＯＦＤＭシンボル＃３〜＃１４にデータシンボルＤ＿１２〜Ｄ＿１が順に配置される。すなわち、送信Circular Bufferから読み出され、変調されたデータシンボルは、ＯＦＤＭシンボルにおいて、元の送信Circular Buffer上の符号語データとは逆方向の状態で、制御チャネルＣＣＨの後に順番に配置される。
【００４４】
図３は本発明の実施形態における受信局のブロック構成を示す図である。受信局３００となる無線通信装置は、アンテナ３０１、受信ＲＦ部３０２、ＦＦＴ部３０３、分離部３０４、復調部３０５、受信Circular Buffer３０６、復号部３０７、誤り検出部３０８、回線品質推定部３０９、制御信号生成部３１０、符号化部３１１、変調部３１２、送信ＲＦ部３１３を備えて構成される。
【００４５】
受信ＲＦ部３０２は、送信局から送信された信号をアンテナ３０１より受信し、ＲＦ信号の受信信号をベースバンド信号に周波数変換する。ＦＦＴ部３０３は、受信ＯＦＤＭシンボルに対してＦＦＴを行って周波数領域の信号に変換し、受信データ信号を分離部３０４へ出力する。
【００４６】
分離部３０４は、受信データ信号をデータシンボルと制御情報（割当ＲＢ番号、符号化率、変調多値数、ＲＶパラメータ、ＣＣＦＩ値、ＵＥ属性）とに分離し、割当ＲＢ番号に対応する周波数サブキャリアのデータシンボルを復調部３０５へ出力するとともに、制御情報（変調多値数）を復調部３０５へ出力し、制御情報（符号化率、ＲＶパラメータ、ＵＥ属性）を受信Circular Buffer３０６へ出力する。また、分離部３０４は、受信パイロット信号を回線品質推定部３０９へ出力する。このとき、分離部３０４は、ＣＣＦＩ値に従って、何番目のＯＦＤＭシンボルからデータシンボルが配置されているのかを特定し、データに対応するＯＦＤＭシンボルに配置されているデータシンボルのみ、復調部３０５へ出力する。
【００４７】
復調部３０５は、分離部３０４から入力されるデータシンボルを、制御情報で通知された変調多値数に従って復調する。復調された情報（復調後のデータシンボルから得られる尤度情報）は、受信Circular Buffer３０６へ出力される。
【００４８】
受信Circular Buffer３０６は、受信データを格納して保持する巡回読出型バッファを構成するメモリを有しており、分離部３０４から入力される制御情報（符号化率、ＲＶパラメータ、ＵＥ属性）に基づいて、復調部３０５で復調された情報を順に格納する。さらに、受信Circular Buffer３０６は、格納された復調情報を読み出して復号部３０７へ出力する。ここで、ＵＥ属性として、割当ＵＥである受信局のＵＥ属性がDynamic-schedulingが適用されるDynamic-UEであった場合、所定のデータ開始地点から受信したＯＦＤＭシンボルと同じ順方向に復調された情報を受信Circular Buffer３０６へ格納する。本実施形態では、受信データのデータ格納位置を示すデータ開始地点として、例えば事前に通知されるＲＶパラメータで指示された開始地点を用いるが、これに限るものではない。
【００４９】
一方、割当ＵＥである受信局のＵＥ属性がPersistent-schedulingが適用されるPersistent-UEであった場合、ＲＶパラメータで指示された開始地点から受信データサイズに相当する領域において、すなわち開始地点から受信データサイズ分先のアドレス位置までについて、受信したＯＦＤＭシンボルと逆方向に復調された情報を受信Circular Buffer３０６へ格納する。
【００５０】
また、受信Circular Buffer３０６は、誤り検出部３０８からＡＣＫ信号が入力された場合にのみ、すでに格納している受信データを廃棄する。本実施形態では、受信局がPersistent-UEである場合を主に説明するが、この場合の受信Circular Buffer３０６の格納処理の詳細については、後述する。
【００５１】
復号部３０７は、受信Circular Buffer３０６から入力されるデータシンボルを誤り訂正復号し、復号ビット列を得る。復号ビット列は、誤り検出部３０８へ出力される。誤り検出部３０８は、復号部３０７から入力される復号ビット列に対して誤り検出復号化（ＣＲＣ）を行う。誤り検出の結果、復号ビットに誤りがある場合には応答信号としてＮＡＣＫ信号を生成し、復号ビットに誤りがない場合には応答信号としてＡＣＫ信号を生成し、制御信号生成部３１０へ出力する。また、誤り検出部３０８は、復号ビット列に誤りが無い場合にはその復号ビット列を受信ビット列として出力する。
【００５２】
回線品質推定部３０９は、受信パイロット信号から回線品質（例えばＳＩＮＲ）を推定する。ＳＩＮＲ推定値は、制御信号生成部３１０へ出力される。制御信号生成部３１０は、回線品質推定部３０９から入力されるＳＩＮＲ推定値等によるＣＱＩと、誤り検出部３０８から入力されるＡＣＫ／ＮＡＣＫ信号とからフィードバック情報用のフレームを生成し、符号化部３１１へ出力する。
【００５３】
符号化部３１１は、制御信号生成部３１０から入力されるフィードバック情報の符号化を行う。変調部３１２は、符号化されたフィードバック情報の変調を行い、送信ＲＦ部３１３へ出力する。送信ＲＦ部３１３は、符号化および変調されたベースバンド信号をＲＦ信号に周波数変換し、このＲＦ信号の送信信号をアンテナ３０１より送信局へ送信する。上記受信局の構成において、受信Circular Buffer３０６が受信データ処理部の機能を実現する。
【００５４】
次に、第１の実施形態の受信局における主要な処理動作の詳細を説明する。ここでは、受信Circular Buffer３０６への格納処理について詳述する。
【００５５】
図４は第１の実施形態の受信局におけるデータ処理およびデータの配置構成の一例を示す図である。図４では、Persistent-UEのデータチャネルの配置例として、Persistent-UEのデータチャネルに含まれる受信データシンボルを特定し、復調を介し、受信Circular Bufferへ格納するまでの処理状況を示している。なお、ここでは送信局がＣＣＦＩ＝２で送信した情報を、受信局がＣＣＦＩ＝３と誤って受信した場合について説明する。ＣＣＦＩは誤り検出符号化がなされていないため、ＣＣＦＩエラーとなり誤認識する可能性が高い。処理手順は以下の（Ｂ１）〜（Ｂ３）の３段階であり、図４中の（Ｂ１）〜（Ｂ３）と対応する。
【００５６】
（Ｂ１）ＯＦＤＭシンボルから受信データシンボルを特定する処理
分離部３０４は、ＣＣＦＩ値（＝３）に従って、４番目のＯＦＤＭシンボル＃４からデータシンボルが配置されていることを特定する。そして、特定したデータシンボルを復調部３０５へ出力する。図４の例では、４番目のＯＦＤＭシンボル＃４がデータシンボルＤ＿１１に、５番目のＯＦＤＭシンボル＃５がデータシンボルＤ＿１０にそれぞれ対応する。６番目から末尾の１４番目のＯＦＤＭシンボル＃６〜＃１４についても同様にして、順にデータシンボルＤ＿９〜Ｄ＿１が対応する。
【００５７】
（Ｂ２）復調処理
復調部３０５は、分離部３０４から入力された順にデータシンボルＤ＿１１〜Ｄ＿１を、事前に通知された変調多値数で復調して復調情報を生成し、受信Circular Buffer３０６へ出力する。
【００５８】
（Ｂ３）受信Circular Bufferへの格納処理
受信Circular Buffer３０６は、所定のデータ格納位置として、事前に通知されたＲＶパラメータで指示された開始地点から受信データサイズに相当する領域において、復調情報（復調後のデータシンボル）の末尾から先頭までを逆方向に並び替えてＤ＿１〜Ｄ＿１１として格納する。
【００５９】
以上の処理により、受信Circular Buffer３０６には、復調情報Ｄ＿１〜Ｄ＿１１のうち、Ｄ＿１〜Ｄ＿４が符号語のシステマティックビット（図４下段のInterleaved S）に対応する位置に配置され、Ｄ＿５〜Ｄ＿１１が符号語のパリティビット（図４下段のInterleaved and interlaced P1 and P2）に対応する位置に配置されて格納される。よって、受信Circular Bufferにおける格納ずれが発生しない。この場合、ＯＦＤＭシンボルから制御情報と分離され、復調されたデータシンボルは、受信Circular Bufferにおいて、受信したＯＦＤＭシンボルとは逆方向の状態で、つまり送信側での元の送信Circular Buffer上の符号語データと同じ方向に並んだ状態に復元されて配置されることになる。上記例では、受信局におけるＣＣＦＩ値の誤認識により受信データシンボルＤ＿１２の抜け落ちが生じ、この末端側のデータ欠落によって符号化ゲインが若干小さくなるものの、受信Circular Bufferでのデータ格納ずれや先頭のデータ欠落による受信誤りは発生しない。
【００６０】
上記のように、本実施形態によれば、受信局がPersistent-schedulingが適用されるPersistent-UEであり、ＣＣＦＩを参照して制御チャネルＣＣＨが配置されるＯＦＤＭシンボル数を認識し、データシンボルを特定してCircular Bufferに格納する動作を行う際に、受信局でＣＣＦＩエラーが発生した場合であっても、データ格納ミスによる初回受信時のパケット誤りを防ぐことができ、再送時にずれた状態で合成することを避けることができる。
【００６１】
また、本実施形態は、元のデータ配置とは逆方向に送信Circular Bufferから読み出したり受信Circular Bufferへ格納するという単純な処理であるため、処理にかかるステップや構成を簡易なものとすることができる。また、送信Circular Bufferや受信Circular Bufferにおいて、データの連続性を保持でき、送信処理や受信処理において連続的な処理が可能となる。したがって、ＣＣＦＩ値によって送信Circular Bufferの読出方向や受信Circular Bufferへの格納方向が変化することや、複数の受信局の割り当てによってデータ配置が断続的になることなどを回避でき、各種条件に対応した処理の複雑化を抑止できる。
【００６２】
（第２の実施形態）
第２の実施形態は、１つの送信するための単位（Transport-block）が複数の符号化の単位（Code-block）で構成される場合の例を示す。本実施形態では、１Transport-blockが複数のCode-blockで構成される場合、すべてのCode-blockデータが各ＯＦＤＭシンボルへ均等となるように配置する。
【００６３】
第２の実施形態の送信局、受信局のブロック構成は、図１、図３に示した第１の実施形態と同様である。第２の実施形態では、図１に示した送信Circular Buffer１０３の読出処理と、図３に示した受信Circular Buffer３０６への格納処理とが上述した第１の実施形態と異なる。以下、具体例を示して説明する。
【００６４】
図５は第２の実施形態におけるデータ処理およびデータの配置構成の一例を示す図である。図５においては、第１の実施形態と同様、送信局が無線通信基地局装置ＮＢ、受信局がPersistent-UEである無線通信移動局装置Ｐ−ＵＥの場合を示している。この例では、１Transport-blockが２つのCode-blockで構成され、それぞれのCode-block_1（ＣＢ１），Code-block_2（ＣＢ２）は、１〜１２の変調されたデータシンボルで構成されているものとする。すなわち、Code-block_1（ＣＢ１）はＣＢ１＿１〜ＣＢ１＿６において１〜１２のデータシンボルを有し、Code-block_2（ＣＢ２）はＣＢ２＿１〜ＣＢ２＿６において１〜１２のデータシンボルを有している。１Transport-blockのデータサイズがCode-blockの上限を超える場合は、複数のCode-blockに分割して処理が行われる。
【００６５】
まず、第２の実施形態における送信Circular Buffer１０３の読出処理を説明する。なお、ここでは送信局がＣＣＦＩ＝２で送信した情報を、受信局がＣＣＦＩ＝３と誤って受信した場合について説明する。
【００６６】
送信Circular Buffer１０３は、制御部１１２から指示されたＲＶパラメータと送信データサイズに基づいて、送信する符号語データを特定する。次に、特定したそれぞれのCode-blockの符号語データを末尾から先頭まで逆方向に順に読み出し、変調部１０４へ出力する。その際、Code-block_1およびCode-block_2の符号語データが各ＯＦＤＭシンボルへ均等となるように、時間方向に対して均等に読み出す。そして、変調部１０４で読み出した符号語データを変調した後、多重部１０５で各ＯＦＤＭシンボルへ２つのCode-blockが均等となるようにデータシンボルを配置する。これにより、元の送信Circular Buffer上の符号語データとは逆方向の状態で、各ＯＦＤＭシンボルに対して、２つのCode-blockのデータシンボルが時間方向に均等な状態となって配置される。
【００６７】
次に、第２の実施形態における受信Circular Buffer３０６への格納処理を説明する。分離部３０４でＣＣＦＩ値に従ってデータシンボルが特定されて分離され、復調部３０５でデータシンボルが復調されて復調情報が生成される。
【００６８】
受信Circular Buffer３０６は、事前に通知されたＲＶパラメータで指示された開始地点から、復調情報の末尾から先頭までをそれぞれのCode-blockごとに逆方向に並び替えて格納する。その際、時間方向に対して均等に配置されたCode-block_1およびCode-block_2の復調情報を、それぞれのCode-block_1，Code-block_2の情報としてほぼ等しいサイズに２分割して格納する。これにより、受信Circular Buffer３０６において、受信したＯＦＤＭシンボルとは逆方向の状態で、つまり送信側での元の送信Circular Buffer上の符号語データと同じ方向の状態に各Code-blockが復元されて配置される。
【００６９】
図５の例では、受信局におけるＣＣＦＩ値の誤認識により各Code-blockの受信データシンボル１２の抜け落ちが生じ、この末端側のデータ欠落によって符号化ゲインが若干小さくなるものの、すべてのCode-blockにおいて受信Circular Bufferでのデータ格納ずれや先頭のデータ欠落による受信誤りは発生しない。
【００７０】
このように、本実施形態によれば、１Transport-blockが複数のCode-blockで構成される場合において、受信局のPersistent-UEがＣＣＦＩエラーを引き起こしたとしても、データ格納ミスによる後続のCode-blockのパケット誤りを防ぐことができ、再送時にずれた状態で合成することを避けることができる。
【００７１】
（第３の実施形態）
第３の実施形態は、Persistent-UEに対して再送時に通知される制御情報に、前回の受信ＴＴＩのＣＣＦＩ情報を組込んだ例を示す。
【００７２】
第３の実施形態の送信局、受信局のブロック構成は、図１、図３に示した第１の実施形態と同様である。第３の実施形態では、図１に示した制御部１１２における制御情報が上述した第１の実施形態と異なる。以下、具体例を示して説明する。
【００７３】
図６は第３の実施形態におけるデータ処理およびデータの配置構成の一例を示す図である。図６においては、第１の実施形態と同様、送信局が無線通信基地局装置ＮＢ、受信局がPersistent-UEである無線通信移動局装置Ｐ−ＵＥの場合を示している。
【００７４】
この例では、１フレーム（例えば１０ｍｓ）が＃１〜＃１０のＴＴＩ（例えば１ＴＴＩ＝１ｍｓ）で構成される場合に、Persistent-UEの受信局が１番目のＴＴＩ＃１で制御情報（DL-grant）を受信し、５番目のＴＴＩ＃５でデータ受信を行い、再送となった場合に９番目のＴＴＩ＃９で再送時の制御情報（DL-grant）を受信するものとする。ここでは初回受信および再送１回までを想定する。また、受信局は、ＣＣＦＩがいずれの値であっても、初回受信時に４〜１４番目のＯＦＤＭシンボル＃４〜＃１４のみを使用して復号処理を行う。すなわち、ＣＣＦＩ値によらず制御チャネルＣＣＨが配置される可能性の無いＯＦＤＭシンボルのみを復号に用いる。
【００７５】
この場合、ＣＣＦＩ＝２であるとすると、受信データとしては３番目のＯＦＤＭシンボル＃３にデータＤ＿１２が配置されるが、２〜３番目のＯＦＤＭシンボル＃２〜＃３のデータは初回受信時には復号に使用せずに一旦格納だけしておく。これによって、例えばＣＣＦＩ＝２をＣＣＦＩ＝１と誤るなど、値が小さい方向にＣＣＦＩエラーが生じた場合の過剰受信を回避できる。
【００７６】
第３の実施形態では、送信局の制御部１１２は、Persistent-UEの受信局に対して再送時の制御情報（DL-grant）に初回送信時のＣＣＦＩ情報を含めるようにする。そして、受信局では、再送時の制御情報内に含まれるＣＣＦＩ情報を参照し、信頼度の高いＣＣＦＩ値を得る。これにより、受信局は、再送時の制御情報内に含まれるＣＣＦＩ情報を用いて再送の場合の受信処理を行い、初回受信時にあいまいであった情報（図６の例ではＤ＿１２）を合成して復号できるため、符号化ゲインを得ることができる。
【００７７】
このように、本実施形態によれば、受信局のPersistent-UEがＣＣＦＩエラーを引き起こしたとしても、過剰受信することを防ぐことができ、また、再送時の制御情報より初回受信時にあいまいであったデータ情報を合成して復号できるため、符号化ゲインが得られる。
【００７８】
（変形例）
図７は本実施形態の第１変形例におけるデータ処理およびデータの配置構成の一例を示す図である。第１変形例として、送信Circular Buffer１０３の読出処理と、多重部１０５におけるデータシンボルのＯＦＤＭシンボルへの配置処理を変更した例を示す。
【００７９】
上記の実施形態では、送信Circular Buffer１０３の読出処理を逆方向に行う例について記載したが、第１変形例ではこの代わりに、送信Circular Buffer１０３の読出処理を順方向に行い、かつ、多重部１０５において、変調したデータシンボルをＴＴＩ末尾のＯＦＤＭシンボル＃１４から逆方向に配置していく処理を行うようにする。なお、受信側での受信Circular Buffer３０６への格納処理は、第１〜第３の実施形態と同様である。
【００８０】
この第１変形例では、例えば図２の処理（Ａ１）〜（Ａ３）の代わりに、図７の処理（Ａ１）′〜（Ａ３）′を実行する。この場合、送信Circular Buffer１０３から符号語データＤ＿１〜Ｄ＿１２をそのまま順方向に読み出し、変調部１０４で変調した後、多重部１０５において、１４番目のＯＦＤＭシンボル＃１４から３番目のＯＦＤＭシンボル＃３まで逆方向にデータシンボルを配置する。これにより、ＯＦＤＭシンボルには、データシンボルがＤ＿１２、Ｄ＿１１、…、Ｄ＿１のように逆方向の状態で順に配置される。
【００８１】
このような第１変形例の処理によっても、上述した第１〜第３の実施形態と同様の結果が得られ、受信局でＣＣＦＩエラーが発生した場合であっても、データ格納ミスによる初回受信時のパケット誤りを防ぐことができ、再送時にずれた状態で合成することを避けることができる。
【００８２】
図８は本実施形態の第２変形例におけるデータ処理およびデータの配置構成の一例を示す図である。第２変形例として、上記第２の実施形態における複数のCode-blockの配置を変更した例を示す。
【００８３】
上述した第２の実施形態では、送信Circular Buffer１０３の読出処理と受信Circular Buffer３０６への格納処理において、Code-block_1，Code-block_2のそれぞれのCode-blockデータを各ＯＦＤＭシンボルへ時間方向に均等となるように配置している。一方、第２変形例では、この処理の代わりに、すべてのCode-blockデータ（ここではCode-block_1， Code-block_2の２つのCode-blockデータ）が各ＯＦＤＭシンボルに対して周波数方向に均等となるように配置する。
【００８４】
このような第２変形例の処理によっても、上述した第２の実施形態と同様の効果が得られ、受信局のPersistent-UEがＣＣＦＩエラーを引き起こしたとしても、すべてのCode-blockについてデータ格納ミスによるパケット誤りを防ぐことができ、再送時にずれた状態で合成することを避けることができる。
【００８５】
図９は本実施形態の第３変形例におけるデータ処理およびデータの配置構成の一例を示す図である。第３変形例として、上記第２の実施形態における複数のCode-blockの配置を変更した他の例を示す。
【００８６】
上述した第２の実施形態では、送信Circular Buffer１０３の読出処理と受信Circular Buffer３０６への格納処理において、Code-block_1，Code-block_2のそれぞれのCode-blockデータを各ＯＦＤＭシンボルへ時間方向に均等となるように配置している。一方、第３変形例では、この処理の代わりに、制御チャネルＣＣＨが配置される可能性のあるＯＦＤＭシンボルに対してのみ、すべてのCode-blockデータが均等となるように配置する。ここでは、制御チャネルＣＣＨが配置される可能性のある３番目のＯＦＤＭシンボル＃３に対してのみ、Code-block_1，Code-block_2の２つのCode-blockデータが時間方向に均等となるように配置している。
【００８７】
このような第３変形例の処理によっても、上述した第２の実施形態と同様の効果が得られ、受信局のPersistent-UEがＣＣＦＩエラーを引き起こしたとしても、すべてのCode-blockについてデータ格納ミスによるパケット誤りを防ぐことができ、再送時にずれた状態で合成することを避けることができる。
【００８８】
図１０は本実施形態の第４変形例におけるデータ処理およびデータの配置構成の一例を示す図である。上述した第１〜第３の実施形態は、この第４変形例のように、１つのＴＴＩ内にDynamic-schedulingが適用されるDynamic-UEとPersistent-schedulingが適用されるPersistent-UEとを多重して割り当てた場合（Distributed割当）にも適用可能である。
Dynamic-UE用のデータとPersistent-UE用のデータとを多重する場合、送信局では、Persistent-UE用のデータチャネルをＴＴＩ末尾のＯＦＤＭシンボルから逆順に配置する。この例では、Persistent-UE用の符号化データＤ＿１〜Ｄ＿６を送信Circular Bufferの末尾から逆方向にＤ＿６〜Ｄ＿１と読み出し、ＯＦＤＭシンボルの末尾側の９番目から１４番目のＯＦＤＭシンボル＃９〜＃１４において逆方向にデータシンボルＤ＿６〜Ｄ＿１を配置する。Persistent-UEの受信局では、逆方向に配置されたデータを逆順に元に並び替えて受信Circular Bufferに格納する。
【００８９】
この第４変形例においても、上記実施形態と同様、データの連続性を保持でき、複数の受信局の割り当てを行う際に各受信局のデータ配置が断続的になることを回避できる。Persistent-UEのデータチャネルをＴＴＩ末尾のＯＦＤＭシンボルから逆順に配置することにより、Distributed割当のDynamic-UEの割当領域を時間的に連続させることができ、ＣＣＦＩ値によらず連続受信が可能であるので、受信処理が簡単にできる。
【００９０】
なお、本発明で説明に利用したＣＣＦＩは、”PCFICH (Physical Control Format Indicator Channel)”と表現されることもある。
【００９１】
なお、本発明は上記の実施形態において示されたものに限定されるものではなく、明細書の記載、並びに周知の技術に基づいて、当業者が変更、応用することも本発明の予定するところであり、保護を求める範囲に含まれる。
【００９２】
なお、第１の実施形態（図２）では、ＯＦＤＭシンボル＃３〜＃１４に対して、逆順にしたデータ（Ｄ＿１２〜Ｄ＿１）を配置したが、（配置パターンを送受信間で共有した上で）Ｄ＿１１，９，６，５，７，８，１２，１０，２，３，４，１のように、制御チャネルＣＣＨが配置される可能性のあるＯＦＤＭシンボル（＃３）にパリティビットのみで構成されるデータシンボルしかマップされない、という配置でもよい。
【００９３】
なお、本発明の実施形態例では、誤り訂正符号化にターボ符号を用いる例で説明したが、ＬＤＰＣ符号であってもよい。
【００９４】
なお、第１の実施形態（図４）では、ＣＣＦＩをエラーして受信データが抜け落ちてしまう＃３のＯＦＤＭシンボルにＤ＿１２を配置する例を示したが、性能劣化を引き起こしにくい（または、符号語間最小ハミング距離を短くさせない）パリティビットを配置する方法であってもよい。
【００９５】
上記各実施の形態では、本発明をハードウェアで構成する場合を例にとって説明したが、本発明はソフトウェアで実現することも可能である。
【００９６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００９９】
本発明を詳細にまた特定の実施態様を参照して説明したが、本発明の精神と範囲を逸脱することなく様々な変更や修正を加えることができることは当業者にとって明らかである。
本出願は、２００７年８月９日出願の日本特許出願（特願２００７−２０８１２８）に基づくものであり、その内容はここに参照として取り込まれる。
【産業上の利用可能性】
【０１００】
本発明は、ＣＣＦＩエラーが生じた場合であっても、バッファへのデータ格納ミスによる初回受信時のパケット誤りを防ぐことができ、再送時にずれた状態で合成することを回避することが可能となる効果を有し、例えばセルラーシステムにおける無線通信基地局装置および無線通信移動局装置など、ＯＦＤＭを用いたデータ伝送を行う無線通信装置、無線通信システム及び無線通信方法等として有用である。
【符号の説明】
【０１０１】
１００  送信局
１０１  ＣＲＣ部
１０２  符号化部
１０３  送信Circular Buffer
１０４  変調部
１０５  多重部
１０６  ＩＦＦＴ部
１０７  送信ＲＦ部
１０８  アンテナ
１０９  受信ＲＦ部
１１０  復調部
１１１  復号部
１１２  制御部
３００  受信局
３０１  アンテナ
３０２  受信ＲＦ部
３０３  ＦＦＴ部
３０４  分離部
３０５  復調部
３０６  受信Circular Buffer
３０７  復号部
３０８  誤り検出部
３０９  回線品質推定部
３１０  制御信号生成部
３１１  符号化部
３１２  変調部
３１３  送信ＲＦ部
【手続補正２】
【補正対象書類名】特許請求の範囲
【補正対象項目名】全文
【補正方法】変更
【補正の内容】
【特許請求の範囲】
【請求項１】
Persistent-schedulingが適用される受信局に対して、ＯＦＤＭ（Orthogonal Frequency Division Multiplexing）を用いたデータ伝送を行う送信局となる無線通信装置であって、
受信局へ送信するためのデータを格納するCircular Bufferを備え、
前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える無線通信装置。
【請求項２】
請求項１に記載の無線通信装置であって、
前記送信データ処理部は、前記Circular Bufferからのデータの読出処理において、送信するデータの末尾から逆方向にデータを読み出す無線通信装置。
【請求項３】
請求項１に記載の無線通信装置であって、
前記送信データ処理部は、前記変調後のデータシンボルのＯＦＤＭシンボルへの配置処理において、末尾のＯＦＤＭシンボルから逆方向にデータを配置する無線通信装置。
【請求項４】
請求項１に記載の無線通信装置であって、
前記送信データ処理部は、前記受信局へ伝送するデータにおいて、１つの送信するための単位（Transport-block）が複数の符号化の単位（Code-block）で構成される場合、すべてのCode-blockデータが各ＯＦＤＭシンボルに対して均等となるように配置する無線通信装置。
【請求項５】
請求項４に記載の無線通信装置であって、
前記送信データ処理部は、すべてのCode-blockデータが各ＯＦＤＭシンボルへ時間方向に均等となるように配置する無線通信装置。
【請求項６】
請求項４に記載の無線通信装置であって、
前記送信データ処理部は、すべてのCode-blockデータが各ＯＦＤＭシンボルへ周波数方向に均等となるように配置する無線通信装置。
【請求項７】
請求項４に記載の無線通信装置であって、
前記送信データ処理部は、すべてのCode-blockデータが、制御チャネルが配置される可能性のあるＯＦＤＭシンボルに対してのみ均等となるように配置する無線通信装置。
【請求項８】
請求項１に記載の無線通信装置であって、
自己の送信局から送信対象とする受信局として、Dynamic-schedulingが適用される第１の受信局とPersistent-schedulingが適用される第２の受信局とを離散的(Distributed)に多重する場合、前記送信データ処理部は、前記Persistent-schedulingが適用される第２の受信局へ送信するデータを伝送区間の末尾のＯＦＤＭシンボルから逆方向に配置する無線通信装置。
【請求項９】
請求項１に記載の無線通信装置であって、
前記Persistent-schedulingが適用される受信局への再送時に通知される制御情報に、前回の受信時のＣＣＦＩ（Control Channel Format Indicator）情報を組み込む制御情報処理部を備える無線通信装置。
【請求項１０】
Persistent-schedulingが適用される受信局となり、送信局との間でＯＦＤＭ（Orthogonal Frequency Division Multiplexing）を用いたデータ伝送を行う無線通信装置であって、
送信局から受信したデータを格納するCircular Bufferを備え、
前記送信局よりＯＦＤＭシンボルにおいて逆方向に配置されたデータを受信した場合に、前記Circular Bufferへのデータの格納処理において、所定のデータ格納位置に逆方向に並び替えてデータを格納する受信データ処理部を備える無線通信装置。
【請求項１１】
請求項１０に記載の無線通信装置であって、
前記受信データ処理部は、前記送信局から伝送されるデータにおいて、１つの送信するための単位（Transport-block）が複数の符号化の単位（Code-block）で構成される場合、すべてのCode-blockデータが各ＯＦＤＭシンボルに対して均等となるように逆方向に配置されたデータを、それぞれのCode-blockごとに逆方向に並び替えて格納する無線通信装置。
【請求項１２】
請求項１０に記載の無線通信装置であって、
送信局が送信対象とする受信局として、Dynamic-schedulingが適用される他の受信局とPersistent-schedulingが適用される自己の受信局とが離散的(Distributed)に多重された場合、前記受信データ処理部は、自己の受信局用の末尾のＯＦＤＭシンボルから逆方向に配置されたデータを、逆順に元に並び替えて格納する無線通信装置。
【請求項１３】
送信局と、Persistent-schedulingが適用される受信局との間でＯＦＤＭ（Orthogonal Frequency Division Multiplexing）を用いたデータ伝送を行う無線通信システムであって、
受信局へ送信するためのデータを格納するCircular Bufferを備え、
前記Persistent-schedulingが適用される受信局へ送信するデータに関して、前記Circular Bufferからのデータの読出処理、または、変調後のデータシンボルのＯＦＤＭシンボルへの配置処理のいずれかの処理において、逆順にデータ処理を行う送信データ処理部を備える送信局である第１の無線通信装置と、
送信局から受信したデータを格納するCircular Bufferを備え、
前記Persistent-schedulingが適用される受信局となり、前記送信局から逆方向に配置されたデータを受信した場合に、前記Circular Bufferへのデータの格納処理において、所定のデータ格納位置に逆方向にデータを格納する受信データ処理部を備える受信局である第２の無線通信装置と、を有する無線通信システム。
【請求項１４】
Persistent-schedulingが適用される受信局に対して、ＯＦＤＭ（Orthogonal Frequency Division Multiplexing）を用いたデータ伝送を行う送信局となる無線通信装置における無線通信方法であって、
前記Persistent-schedulingが適用される受信局へ送信するデータに関して、前記受信局へ送信するためのデータを格納するCircular Bufferからのデータの読出処理、または、変調後のデータシンボルのＯＦＤＭシンボルへの配置処理のいずれかの処理において、逆順にデータ処理を行う送信データ処理ステップを有する無線通信方法。
【請求項１５】
Persistent-schedulingが適用される受信局となり、送信局との間でＯＦＤＭ（Orthogonal Frequency Division Multiplexing）を用いたデータ伝送を行う無線通信装置における無線通信方法であって、
前記送信局から逆方向に配置されたデータを受信した場合に、前記送信局から受信したデータを格納するCircular Bufferへのデータの格納処理において、所定のデータ格納位置に逆方向にデータを格納する受信データ処理ステップを有する無線通信方法。
【手続補正３】
【補正対象書類名】図面
【補正対象項目名】全図
【補正方法】変更
【補正の内容】
【図１】
2009019817.tif 000014
【図２】
2009019817.tif 000015
【図３】
2009019817.tif 000016
【図４】
2009019817.tif 000017
【図５】
2009019817.tif 000018
【図６】
2009019817.tif 000019
【図７】
2009019817.tif 000020
【図８】
2009019817.tif 000021
【図９】
2009019817.tif 000022
【図１０】
2009019817.tif 000023
【図１１】
2009019817.tif 000024
【国際調査報告】
2009019817.tif 000025
2009019817.tif 000026
2009019817.tif 000027
2009019817.tif 000028